(57)【要約】  無線通信ネットワーク内のＶＥＨＩＣＬＥ‐ＴＯ‐ＡＮＹＴＨＩＮＧ（Ｖ２Ｘ）通信を実行するように動作可能なｅＮｏｄｅＢのための技術が開示される。ｅＮｏｄｅＢは、ユーザ機器（ＵＥ）から受信されるＶＥＨＩＣＬＥ‐ＴＯ‐ＡＮＹＴＨＩＮＧ（Ｖ２Ｘ）識別情報を含むデータパケットを処理してよい。ｅＮｏｄｅＢは、Ｖ２Ｘ識別情報に従い、データパケットをＶ２Ｘメッセージとして識別してよい。ｅＮｏｄｅＢは、Ｖ２Ｘメッセージは、Ｖ２Ｘ機能に転送されるべきであることを判断してよい。ｅＮｏｄｅＢは、Ｖ２Ｘメッセージを、Ｖ２Ｘインタフェースを介して、Ｖ２Ｘ機能に直接送信するために処理してよい。
2018523322.tif 000002
【特許請求の範囲】
【請求項１】
１または複数のプロセッサおよびメモリを備える、無線通信ネットワーク内のＶＥＨＩＣＬＥ‐ＴＯ‐ＡＮＹＴＨＩＮＧ（Ｖ２Ｘ）通信をサポートするｅＮｏｄｅＢの装置であって、
前記１または複数のプロセッサおよびメモリは、
ユーザ機器（ＵＥ）から受信されるＶ２Ｘ識別情報を含むデータパケットを処理し、
前記Ｖ２Ｘ識別情報に従い、前記データパケットをＶ２Ｘメッセージとして識別し、
前記Ｖ２Ｘメッセージは、Ｖ２Ｘ機能に転送されるべきであることを判断し、
前記Ｖ２Ｘメッセージを、Ｖ２Ｘインタフェースを介して、前記Ｖ２Ｘ機能に直接送信するために処理する、装置。
【請求項２】
さらに、前記ＵＥからデバイスツーデバイス（Ｄ２Ｄ）チャネル経由で受信される前記データパケットを処理する、または、セルラインタフェース経由で受信される前記データパケットを処理する、請求項１に記載の装置。
【請求項３】
前記ｅＮｏｄｅＢは、路側ユニット（ＲＳＵ）である、請求項１または２に記載の装置。
【請求項４】
前記ｅＮｏｄｅＢは、路側ユニット（ＲＳＵ）を少なくとも１つの代替的なｅＮｏｄｅＢと共有する、請求項１に記載の装置。
【請求項５】
さらに、前記Ｖ２Ｘメッセージを、前記Ｖ２Ｘ機能および前記ｅＮｏｄｅＢと通信する路側ユニット（ＲＳＵ）に転送するために処理する、請求項１または４に記載の装置。
【請求項６】
さらに、前記Ｖ２Ｘメッセージのインターネットプロトコル（ＩＰ）アドレスに従い、前記Ｖ２Ｘメッセージは、前記Ｖ２Ｘ機能に転送されるべきであること、または、セル内でブロードキャストされるべきであること、を判断する、請求項１に記載の装置。
【請求項７】
さらに、前記Ｖ２Ｘ機能から受信される、アプリケーションサーバのインターネットプロトコル（ＩＰ）アドレスを有する前記Ｖ２Ｘメッセージを処理する、請求項１または６に記載の装置。
【請求項８】
さらに、前記Ｖ２Ｘ機能が、アプリケーションサーバのインターネットプロトコル（ＩＰ）アドレスを追加できるように、前記Ｖ２Ｘメッセージを、前記Ｖ２Ｘインタフェースを介して、前記Ｖ２Ｘ機能に転送するために処理する、請求項１に記載の装置。
【請求項９】
さらに、前記Ｖ２Ｘインタフェースを介して前記Ｖ２Ｘ機能から受信される、前記アプリケーションサーバの前記ＩＰアドレスを有する前記Ｖ２Ｘメッセージを処理する、請求項８に記載の装置。
【請求項１０】
さらに、アプリケーションサーバのＩＰアドレスを有する前記Ｖ２Ｘメッセージを、ＩＰトンネル経由で、選択されたパケットデータネットワーク（ＰＤＮ）ゲートウェイに転送するために処理する、請求項１または９に記載の装置。
【請求項１１】
さらに、
前記Ｖ２Ｘ識別情報に従い、前記Ｖ２Ｘメッセージは、Ｖ２Ｘセーフティメッセージであることを判断する、
前記Ｖ２Ｘセーフティメッセージをセルにブロードキャストする、
前記Ｖ２Ｘセーフティメッセージをセルにユニキャストする、または、
前記Ｖ２Ｘセーフティメッセージをセルにマルチキャストする、
請求項１に記載の装置。
【請求項１２】
さらに、インターネットプロトコル（ＩＰ）アドレスを、進化型パケットサービス（ＥＰＳ）ベアラまたはセルのいずれかにマッピングするパケットフィルタを使用する、請求項１または１１に記載の装置。
【請求項１３】
前記Ｖ２Ｘ識別情報は、ＭＡＣヘッダ内、ＲＬＣヘッダ内、またはパケットデータ収束プロトコル（ＰＤＣＰ）ヘッダ内に含まれる、請求項１に記載の装置。
【請求項１４】
前記ＶＥＨＩＣＬＥ‐ＴＯ‐ＡＮＹＴＨＩＮＧ（Ｖ２Ｘ）通信は、車車間通信、車人間通信、または車ネットワーク間通信である、請求項１または１３に記載の装置。
【請求項１５】
前記装置は、アンテナ、タッチセンサ式ディスプレイ画面、スピーカ、マイク、グラフィックプロセッサ、アプリケーションプロセッサ、ベースバンドプロセッサ、内蔵メモリ、不揮発性メモリポート、およびこれらの組み合わせのうちの少なくとも１つを含む、請求項１に記載の装置。
【請求項１６】
１または複数のプロセッサおよびメモリを備える、無線通信ネットワーク内のＶＥＨＩＣＬＥ‐ＴＯ‐ＡＮＹＴＨＩＮＧ（Ｖ２Ｘ）通信をサポートする路側ユニット（ＲＳＵ）の装置であって、
前記１または複数のプロセッサおよびメモリは、
ユーザ機器（ＵＥ）から送信されるデータパケットをＶ２Ｘメッセージとして識別し、
前記Ｖ２Ｘメッセージは、セル内でブロードキャストされるべきであること、またはＶ２Ｘインタフェースを介して、Ｖ２Ｘ機能に転送されるべきであることを判断し、
前記Ｖ２Ｘメッセージを、Ｖ２Ｘインタフェースを介して、前記Ｖ２Ｘ機能に直接送信するために処理する、または前記Ｖ２Ｘメッセージを前記セルにブロードキャスト、マルチキャスト若しくはユニキャストする、装置。
【請求項１７】
さらに、前記Ｖ２Ｘメッセージの宛先のインターネットプロトコル（ＩＰ）アドレスを識別する、請求項１６に記載の装置。
【請求項１８】
さらに、前記Ｖ２Ｘメッセージは、Ｖ２Ｘセーフティメッセージであることを判断する、請求項１６または１７に記載の装置。
【請求項１９】
さらに、
Ｖ２Ｘ識別情報が、前記Ｖ２Ｘメッセージ内に格納されていることを識別する、
前記Ｖ２Ｘメッセージ内の前記Ｖ２Ｘ識別情報に従い、前記Ｖ２Ｘメッセージは、前記Ｖ２Ｘセーフティメッセージであることを判断する、
前記Ｖ２Ｘセーフティメッセージをセル内の各ＵＥにブロードキャストする、
前記Ｖ２Ｘセーフティメッセージをセルにユニキャストする、または
前記Ｖ２Ｘセーフティメッセージをセルにマルチキャストする、
請求項１８に記載の装置。
【請求項２０】
さらに、Ｖ２Ｘ識別情報を読み取る、請求項１６または１９に記載の装置。
【請求項２１】
前記ＲＳＵは、ｅＮｏｄｅＢであり、前記ＲＳＵは、複数のｅＮｏｄｅＢ間で共有され、または、前記ＲＳＵは、１または複数のｅＮｏｄｅＢ間で共有される複数の仮想ＲＳＵプールの仮想コンピューティングインスタンスである、
請求項１６に記載の装置。
【請求項２２】
前記ＲＳＵは、前記Ｖ２Ｘ機能との間で一対多の関係性を有する、請求項１６または２１に記載の装置。
【請求項２３】
さらに、前記Ｖ２Ｘメッセージを、前記Ｖ２Ｘ機能およびｅＮｏｄｅＢと通信する路側ユニット（ＲＳＵ）に転送するために処理する、請求項１６に記載の装置。
【請求項２４】
さらに、前記Ｖ２Ｘメッセージのインターネットプロトコル（ＩＰ）アドレスに従い、前記Ｖ２Ｘメッセージは、前記Ｖ２Ｘ機能に転送されるべきであること、または、前記Ｖ２Ｘメッセージは、セル内でブロードキャストされるべきであること、を判断する、請求項１６に記載の装置。
【請求項２５】
さらに、
前記Ｖ２Ｘ機能から受信される、アプリケーションサーバのインターネットプロトコル（ＩＰ）アドレスを有する前記Ｖ２Ｘメッセージを処理する、
前記Ｖ２Ｘ機能が、アプリケーションサーバのインターネットプロトコル（ＩＰ）アドレスを追加できるように、前記Ｖ２Ｘメッセージを、前記Ｖ２Ｘインタフェースを介して、前記Ｖ２Ｘ機能に転送するために処理する、または、
前記Ｖ２Ｘインタフェースを介して前記Ｖ２Ｘ機能から受信される、前記アプリケーションサーバの前記ＩＰアドレスを有する前記Ｖ２Ｘメッセージを処理する、
請求項１６または２４に記載の装置。
【請求項２６】
さらに、アプリケーションサーバのＩＰアドレスを有する前記Ｖ２Ｘメッセージを、ＩＰトンネル経由で、選択されたパケットデータネットワーク（ＰＤＮ）ゲートウェイに転送するために処理する、請求項１６に記載の装置。
【請求項２７】
Ｖ２Ｘ識別情報は、ＭＡＣヘッダ内、ＲＬＣヘッダ内、またはパケットデータ収束プロトコル（ＰＤＣＰ）ヘッダ内に含まれる、請求項１６または２６に記載の装置。
【請求項２８】
１または複数のプロセッサおよびメモリを備える、無線通信ネットワーク内のＶＥＨＩＣＬＥ‐ＴＯ‐ＡＮＹＴＨＩＮＧ（Ｖ２Ｘ）機能であって、
前記１または複数のプロセッサおよびメモリは、
Ｖ２Ｘインタフェースを介して、ｅＮｏｄｅＢから直接受信されるＶ２Ｘ識別情報を含むＶ２Ｘメッセージを処理し、
Ｖ２Ｘアプリケーションサーバのインターネットプロトコル（ＩＰ）アドレスを追加し、
前記Ｖ２Ｘメッセージが前記Ｖ２Ｘアプリケーションサーバに送信されることを可能にすべく、前記Ｖ２Ｘメッセージを前記ｅＮｏｄｅＢに送信するために処理する、Ｖ２Ｘ機能。
【請求項２９】
前記１または複数のプロセッサおよびメモリは、さらに、前記Ｖ２ＸメッセージがＶ２Ｘセーフティメッセージであることを判断する、請求項２８に記載のＶ２Ｘ機能。
【請求項３０】
無線通信ネットワーク内のＶＥＨＩＣＬＥ‐ＴＯ‐ＡＮＹＴＨＩＮＧ（Ｖ２Ｘ）通信を実行するために具現化された命令を備える少なくとも１つの機械可読記録媒体であって、
前記命令は、１または複数のプロセッサおよびメモリによって実行されると、
ユーザ機器（ＵＥ）から受信されるＶ２Ｘ識別情報を含むデータパケットを処理する、
前記Ｖ２Ｘ識別情報に従い、前記データパケットをＶ２Ｘメッセージとして識別する、
前記Ｖ２Ｘメッセージは、セル内でマルチキャストされる、ユニキャストされる若しくはブロードキャストされるべきであること、または、前記Ｖ２Ｘメッセージは、Ｖ２Ｘインタフェースを介して、Ｖ２Ｘ機能に転送されるべきであることを判断する、および、
前記Ｖ２Ｘメッセージを、Ｖ２Ｘインタフェースを介して、前記Ｖ２Ｘ機能に直接送信するために処理する、または、前記Ｖ２Ｘメッセージの前記セルへのマルチキャスト、ユニキャスト若しくはブロードキャストのうちの１つを実行する、
ことを実行する、少なくとも１つの機械可読記録媒体。
【請求項３１】
さらに、実行時、デバイスツーデバイス（Ｄ２Ｄ）チャネル経由で、前記ＵＥから受信される前記データパケットを処理する命令を備える、請求項３０に記載の少なくとも１つの機械可読記録媒体。
【請求項３２】
１または複数のプロセッサおよびメモリを備える、無線通信ネットワーク内のＶＥＨＩＣＬＥ‐ＴＯ‐ＡＮＹＴＨＩＮＧ（Ｖ２Ｘ）通信をサポートするｅＮｏｄｅＢの装置であって、
前記１または複数のプロセッサおよびメモリは、
ユーザ機器（ＵＥ）から受信されるＶ２Ｘ識別情報を含むデータパケットを処理し、
前記Ｖ２Ｘ識別情報に従い、前記データパケットをＶ２Ｘメッセージとして識別し、
前記Ｖ２Ｘメッセージが、Ｖ２Ｘ機能に転送されるべきであることを判断し、
前記Ｖ２Ｘメッセージを、Ｖ２Ｘインタフェースを介して、前記Ｖ２Ｘ機能に直接送信するために処理する、装置。
【請求項３３】
さらに、デバイスツーデバイス（Ｄ２Ｄ）チャネル経由で前記ＵＥから受信される前記データパケットを処理する、またはセルラインタフェース経由で受信される前記データパケットを処理する、請求項３２に記載の装置。
【発明の詳細な説明】
【技術分野】
【０００１】
（背景技術）
無線モバイル通信技術は、ノード（例えば、送信局）と無線デバイス（例えば、モバイルデバイス）との間でデータを送信するために、様々な規格およびプロトコルを使用する。一部の無線デバイスは、ダウンリンク（ＤＬ）送信で直交周波数分割多元接続（ＯＦＤＭＡ）およびアップリンク（ＵＬ）送信でシングルキャリア周波数分割多元接続（ＳＣ‐ＦＤＭＡ）を用いて通信する。信号送信のために直交周波数分割多重（ＯＦＤＭ）を用いる規格およびプロトコルには、第３世代パートナーシッププロジェクト（３ＧＰＰ）ロングタームエボリューション（ＬＴＥ）、業界団体ではＷｉＭＡＸ（登録商標）（Ｗｏｒｌｄｗｉｄｅ  ｉｎｔｅｒｏｐｅｒａｂｉｌｉｔｙ  ｆｏｒ  Ｍｉｃｒｏｗａｖｅ  Ａｃｃｅｓｓ）として一般に知られている米国電気電子学会（ＩＥＥＥ）８０２．１６規格（例えば、８０２．１６ｅ、８０２．１６ｍ）、および業界団体ではＷｉＦｉ（登録商標）として一般に知られているＩＥＥＥ８０２．１１規格が含まれる。３ＧＰＰ無線アクセスネットワーク（ＲＡＮ）ＬＴＥシステムにおいて、ノードは、進化型ユニバーサル地上波無線アクセスネットワーク（Ｅ−ＵＴＲＡＮ）ノードＢ（一般に、進化型ノードＢ、拡張ノードＢ、ｅＮｏｄｅＢまたはｅＮＢとも表記される）と、ユーザ機器（ＵＥ）として知られる無線デバイスと通信する無線ネットワークコントローラ（ＲＮＣ）との組み合わせであってよい。ダウンリンク（ＤＬ）送信は、ノード（例えば、ｅＮｏｄｅＢ）から無線デバイス（例えば、ＵＥ）への通信であってよく、アップリンク（ＵＬ）送信は、無線デバイスからノードへの通信であってよい。
【０００２】
また、無線通信システムおよび方法を使用する、１または複数の車両内のデバイス（例えば、携帯電話、モバイルコンピュータおよび他のモバイルデバイス）を含むデバイスが、ますます普及してきている。モバイルデバイスの数の増加により、セルラネットワークに対する容量の要求および負荷が増えている。典型的なセルラネットワークは、固定のセルラアンテナ（例えば、ｅＮＢ等の複数のセルラアンテナを含むセルラタワー）を含み、当該セルラアンテナは、モバイルデバイス間の通信を促進すべく、モバイルデバイスへ信号をブロードキャストし、およびモバイルデバイスから信号を受信してよい。また、ＶＥＨＩＣＬＥ‐ＴＯ‐ＡＮＹＴＨＩＮＧ（Ｖ２Ｘ）、車車間（Ｖ２Ｖ）および／または車歩行者間（Ｖ２Ｐ）通信（車両対Ｘまたは単に「Ｖ２Ｘ通信」として総称される）は、高度道路交通システム（ＩＴＳ）のための有効な技術である。ＩＴＳシステムは、例えば、さらなる高レベルの通信、安全性、セキュリティおよび効率性を実現すべく、車両間の対話を自動化するように構成される。ＩＴＳの適用は、アクティブな交通安全、トラフィック効率性、ローカルサービスおよびマルチメディアサービスを含むユビキタスインターネットサービスを含む、車の通信機能に対する異なる条件を有する様々な使用事例に及ぶ。
【０００３】
通信インフラが、既にある程度、特定の使用事例（例えば、いくつかのインターネットアプリケーションの）の条件を満たすことができる一方、他の使用事例、特にＶ２Ｘ通信におけるものは、より要求が多く、現行の通信インフラに対するさらなる機能強化が望まれる。さらに、Ｖ２Ｘ通信の現行の拡張性、配置、機能性およびプロトコルは、現在の要求を満たすために、十分ではない。
【図面の簡単な説明】
【０００４】
本開示に係る特徴および利点は、以下の詳細な説明を添付図面と併せて読むことで明らかになる。これらは共に、例示として、本開示の特徴を説明する。
【０００５】
【図１】一例による、車ネットワーク間（Ｖ２Ｉ）、車車間（Ｖ２Ｖ）および車人間（Ｖ２Ｐ）のためのＶ２Ｘ通信を示す。
【０００６】
【図２】一例による、地上波公共移動通信ネットワーク（ＰＬＭＮ）アーキテクチャを示す。
【０００７】
【図３】一例による、ＰＣ３インタフェースを介するユーザ機器（ＵＥ）とＰｒｏＳｅ機能との間の第１の例示的なＶ２Ｘ通信を示す。
【０００８】
【図４】一例による、無線通信ネットワーク内のユーザ機器（ＵＥ）とＶ２Ｘ機能との間の第２の例示的なＶ２Ｘ通信を示す。
【０００９】
【図５】一例による、無線通信ネットワーク内のユーザ機器（ＵＥ）とＶ２Ｘ機能との間の第３の例示的なＶ２Ｘ通信を示す。
【００１０】
【図６】一例による、無線通信ネットワーク内のユーザ機器（ＵＥ）とＶ２Ｘ機能との間の第４の例示的なＶ２Ｘ通信を示す。
【００１１】
【図７】一例による、無線通信ネットワーク内のユーザ機器（ＵＥ）とＶ２Ｘ機能との間の第５の例示的なＶ２Ｘ通信を示す。
【００１２】
【図８】一例による、仮想ネットワーク内のユーザ機器（ＵＥ）とＶ２Ｘ機能との間の第６の例示的なＶ２Ｘ通信を示す。
【００１３】
【図９】一例による、無線通信ネットワーク内のユーザ機器（ＵＥ）とＶ２Ｘ機能との間のＶ２Ｘ通信を実行するように動作可能なｅＮｏｄｅＢの機能を示す。
【００１４】
【図１０】一例による、無線通信ネットワーク内のユーザ機器（ＵＥ）とＶ２Ｘ機能との間のＶ２Ｘ通信を実行するように動作可能な路側アシスタンスユニット（ＲＳＵ）の機能を示す。
【００１５】
【図１１】一例による、無線通信ネットワーク内のユーザ機器（ＵＥ）とＶ２Ｘ機能との間のＶ２Ｘ通信を実行するように動作可能なＶ２Ｘ機能の機能を示す。
【００１６】
【図１２】一例による、無線デバイス（例えば、ユーザ機器「ＵＥ」）の例示的なコンポーネントの図を示す。
【００１７】
【図１３】一例による、ユーザ機器（ＵＥ）デバイスの例示的なコンポーネントの図を示す。
【００１８】
【図１４】一例による、ノード（例えば、ｅＮＢ）および無線デバイス（例えば、ＵＥ）の図を示す。
【００１９】
ここより、図示される例示的な実施形態に対し参照がなされ、本明細書において、当該実施形態を説明するために、特定の文言が使用される。しかしながら、これによって、技術的範囲を限定することは、意図していないことを理解されたい。
【発明を実施するための形態】
【００２０】
本技術について開示および説明する前に、本技術は、本明細書に開示の特定の構造、プロセスアクション、または材料に限定されることはなく、当業者が認識するであろうそれらの均等範囲にまで拡張されることを理解されたい。また、本明細書で用いられる用語は、特定の例を説明する目的のためだけに使用されており、限定的であることを意図していないことを理解されたい。異なる図面における同一の参照符号は、同一の構成要素を表わす。フローチャートおよびプロセスに示される数字は、アクションおよび動作を説明するにあたりわかりやすくするために記載されているのであり、必ずしも、特定の順序またはシーケンスを示すものではない。
［例示的な実施形態］
【００２１】
以下、最初に、技術の実施形態に関する概要を説明し、その後、特定の技術の実施形態について、さらに詳しく後述することにする。この最初の概要は、読み手が本技術をより素早く理解することに資するためのものであり、本技術の重要な特徴または不可欠な特徴を特定することを意図しておらず、特許請求された主題の範囲を限定することも意図していない。
【００２２】
高度道路交通システム（ＩＴＳ）は、道路における安全性および効率性を向上すべく、接続された車両によって有効にされてよい。車両環境における無線アクセスを提供すべく、無線アクセス車両環境（ＷＡＶＥ）システムアーキテクチャが提供される。ＷＡＶＥシステムは、複数の路側ユニット（ＲＳＵ）で構成されてよい。ＲＳＵおよびモバイル端末が、適切なポータルを介して、ワイドエリアネットワーク（ＷＡＮ）に接続されたＷＡＶＥ基本サービスセット（ＷＢＳＳ）を形成してよい。また、車両環境における無線アクセス（ＷＡＶＥ）アーキテクチャおよび規格は、ＩＴＳ安全性アプリケーションおよび安全性以外のアプリケーションをサポートしてよい。ＷＡＶＥ規格は、ＩＥＥＥ８０２．１１ｐ（例えば、専用近距離無線通信「ＤＳＲＣ」）に基づいて、ＶＥＨＩＣＬＥ‐ＴＯ‐ＡＮＹＴＨＩＮＧ（Ｖ２Ｘ）通信をサポートしてよく、当該Ｖ２Ｘ通信には、車ネットワーク間（Ｖ２Ｉ）通信、車車間（Ｖ２Ｖ）通信、および車人／歩行者間（Ｖ２Ｐ）通信のＶ２Ｘ通信が含まれてよい。
【００２３】
ＤＳＲＣ／８０２．１１ｐは、ＩＴＳに専用の５．９ＧＨｚスペクトルにおける近距離且つ低電力通信をサポートしてよい。しかしながら、一部のＩＴＳアプリケーションは、ＤＳＲＣ／８０２．１１ｐベースの路側ユニット（ＲＳＵ）の配置を用いており、これが、スケーラビリティおよび配置コストの課題を呈する可能性がある。これらの規格および専用スペクトルにも関わらず、ＤＳＲＣ／８０２．１１ｐベースのＩＴＳアプリケーションは、広く展開されていない。
【００２４】
第３世代パートナーシッププロジェクト（３ＧＰＰ）ロングタームエボリューション（ＬＴＥ）等の既存のセルラシステムが、その大規模カバレッジおよび効率的なスペクトル利用率を前提に、ＤＳＲＣ／８０２．１１ｐに代わるものとして使用されてよい。しかしながら、３ＧＰＰ  ＬＴＥにおける課題の１つは、当該システムが主にインターネット上のＩＰ通信用に開発されたことである。また、デバイス間の直接通信が、近接ベースサービス（ＰｒｏＳｅ）で提供されてよい。近接ベースサービス（ＰｒｏＳｅ）は、無線通信システム内のユーザ機器（ＵＥ）、進化型ノードＢ（ｅＮＢ）およびモビリティ管理エンティティ（ＭＭＥ）で利用される。しかしながら、既存のＰｒｏＳｅアーキテクチャおよびプロトコルは、主に、公共安全（例えば、緊急応答スタッフ間の音声通信）およびコンシューマアプリケーション（例えば、広告、位置情報、ソーシャルネットワーク）に限定されてきた。従って、既存のＬＴＥ  ＰｒｏＳｅ機能およびプロトコルは、レイテンシおよびサポートされる車両数の観点から、Ｖ２Ｘ通信の条件に効率的に対応できるように拡張可能ではない。
【００２５】
よって、本技術は、無線通信ネットワーク内のＶＥＨＩＣＬＥ‐ＴＯ‐ＡＮＹＴＨＩＮＧ（Ｖ２Ｘ）通信を実行するように動作可能なｅＮｏｄｅＢをもたらす。ｅＮｏｄｅＢは、ユーザ機器（ＵＥ）から受信されるＶＥＨＩＣＬＥ‐ＴＯ‐ＡＮＹＴＨＩＮＧ（Ｖ２Ｘ）識別情報を含むデータパケットを処理してよい。ｅＮｏｄｅＢは、Ｖ２Ｘ識別情報に従い、データパケットをＶ２Ｘメッセージとして識別してよい。ｅＮｏｄｅＢは、Ｖ２Ｘメッセージの各々が、Ｖ２Ｘ機能に転送されるべきであるかどうかを判断してよい。ｅＮｏｄｅＢは、Ｖ２Ｘメッセージを、Ｖ２Ｘインタフェースを介して、Ｖ２Ｘ機能に直接送信するために処理してよく、または、Ｖ２Ｘメッセージのセルへのブロードキャスト、マルチキャスト若しくはユニキャストのうちの１つを実行してよい。
【００２６】
一態様において、本技術は、無線通信ネットワーク内のＶＥＨＩＣＬＥ‐ＴＯ‐ＡＮＹＴＨＩＮＧ（Ｖ２Ｘ）通信を実行するように動作可能なｅＮｏｄｅＢをもたらす。ｅＮｏｄｅＢは、ユーザ機器（ＵＥ）から送信されるデータパケットをＶ２Ｘメッセージとして識別してよい。ｅＮｏｄｅＢは、Ｖ２Ｘメッセージがセル内でブロードキャストされるべきであること、または、Ｖ２Ｘインタフェースを介して、Ｖ２Ｘ機能に転送されるべきであることを判断してよい。ｅＮｏｄｅＢは、Ｖ２Ｘメッセージを、Ｖ２Ｘインタフェースを介して、Ｖ２Ｘ機能に直接送信するために処理してよく、または、Ｖ２Ｘメッセージのセルへのブロードキャスト、マルチキャスト若しくはユニキャストのうちの１つを実行してよい。
【００２７】
追加の態様において、本技術は、無線通信ネットワーク内のＶＥＨＩＣＬＥ‐ＴＯ‐ＡＮＹＴＨＩＮＧ（Ｖ２Ｘ）通信を実行するためのＶＥＨＩＣＬＥ‐ＴＯ‐ＡＮＹＴＨＩＮＧ（Ｖ２Ｘ）機能をもたらす。Ｖ２Ｘ機能は、Ｖ２Ｘインタフェースを介して、ｅＮｏｄｅＢから直接受信されるＶ２Ｘ識別情報を含むＶＥＨＩＣＬＥ‐ＴＯ‐ＡＮＹＴＨＩＮＧ（Ｖ２Ｘ）メッセージを処理してよい。Ｖ２Ｘ機能は、Ｖ２Ｘアプリケーションサーバのインターネットプロトコル（ＩＰ）アドレスを追加してよい。Ｖ２Ｘ機能は、Ｖ２ＸメッセージがＶ２Ｘアプリケーションサーバに送信され得るように、Ｖ２ＸメッセージをｅＮｏｄｅＢに送信するために処理してよい。しかしながら、Ｖ２Ｘメッセージがアプリケーションサーバに送信されるべきである場合、Ｖ２Ｘ機能は、Ｖ２ＸメッセージをｅＮＢに送り返さない。むしろ、Ｖ２Ｘメッセージが、セル、すなわち、１または複数のＵＥに送り返されるべき場合に、Ｖ２Ｘ機能は、Ｖ２ＸメッセージをｅＮＢに送信してよい。
【００２８】
本明細書で使用される、Ｖ２Ｘサービスは、Ｖ２Ｘアプリケーションを用いるユーザ機器（ＵＥ）の送信または受信に関与する通信サービスの一種であってよいことに留意されたい。通信に関与する他方側（例えば、車両またはＵＥ）に基づき、Ｖ２Ｘサービスはさらに、Ｖ２Ｖサービス、Ｖ２Ｉサービス、およびＶ２Ｐサービスに細分化されてよい。Ｖ２Ｉサービスは、Ｖ２Ｘサービスの一種であってよく、この場合、一方側はＵＥであってよく、他方側は路側ユニット（ＲＳＵ）であってよく、それら両方がＶ２Ｉアプリケーションを用いる。Ｖ２Ｖサービスは、Ｖ２Ｘサービスの一種であってよく、この場合、通信の一方側および他方側の両方が、Ｖ２Ｖアプリケーションを用いるＵＥであってよい。Ｖ２Ｐサービスは、Ｖ２ＶサービスおよびＶ２Ｐサービスの両方をサポートするＵＥおよびＶ２ＰサービスのみをサポートするＵＥを含む通信サービスの一種であってよい。路側ユニット（ＲＳＵ）は、Ｖ２Ｉアプリケーションを用いるＵＥへ送信してよい、および当該ＵＥから受信してよいＶ２Ｉサービスをサポートするエンティティであってよい。ＲＳＵは、ｅＮｏｄｅＢおよび／または据え置きＵＥに実装されてよい。
【００２９】
図１は、一例による、車ネットワーク間（Ｖ２Ｉ）、車車間（Ｖ２Ｖ）、および車人間（Ｖ２ｐ）のためのＶ２Ｘ通信システム１００を示す。図示の通り、Ｖ２Ｘ通信システム１００は、車ネットワーク間（Ｖ２Ｉ）、車車間（Ｖ２Ｖ）、および車人／歩行者間（Ｖ２Ｐ）を含み、これらの各々は、それらの現在の向き、近接度、または他の位置関連情報が互いに認識されるようにすべく、グローバルポジショニング情報および他の安全関連情報を提供するために、互いに自律的に通信する通信デバイスを有する。本明細書で用いられる歩行者という用語は、立っている、歩行している、ジョギングしている歩行者、または道路または道路近傍に位置する自動車以外の輸送手段（例えば、自転車）を利用する人を含むことを理解されたい。
【００３０】
Ｖ２Ｘ通信システム１００は、車両、歩行者および／またはネットワークとの通信を制御するための１または複数のプロセッサ（例えば、Ｖ２Ｘ通信デバイス）を含んでよい。例えば、Ｖ２Ｘ通信システム１００は、送信機および受信機、またはデータメッセージおよびファイルを受信および送信するための類似のデバイスを介して、車両、歩行者、および／またはネットワーク間で、データメッセージを通信するために用いられてよいオンボードコンピュータを含んでよい。専用の近距離通信プロトコル（ＤＳＲＣ）が、車両、歩行者および／またはネットワーク間のデータ転送を提供するために用いられてよい。さらに、Ｖ２Ｘ通信システム１００は、ユーザ機器（ＵＥ）を含んでよく、ＵＥは、車両、歩行者、および／またはネットワーク間のデータ転送を提供するためにｅＮｏｄｅＢと通信してよい。ネットワークは、１または複数のＵＥおよび１または複数のｅＮｏｄｅＢを有するセルであってよい。すなわち、「セル」とは、ｅＮｏｄｅＢの特定の地理的カバレッジエリアおよび／または当該カバレッジエリアをサービングするｅＮｏｄｅＢサブシステムを指してよい。
【００３１】
図２は、一例による、地上波公共移動通信ネットワーク（ＰＬＭＮ）アーキテクチャを示す。図２は、近接ベースサービス（ＰｒｏＳｅ）通信システム２００を示す。当該システムは、ＵＥが、ｅＮＢを介して、他のＵＥとの間でデータおよび／または制御信号を送信／受信することなく、近接するＵＥとの間で互いに直接通信することを可能にする技術として開発され、つまり、ローカルまたは直接パスが、ＵＥ間で用いられ得ることを意味する。すなわち、図２は、ＰＬＭＮ  Ａ、ＰＬＭＮ  Ｂ、ユーザ機器（ＵＥ）Ａ、ＵＥ  Ｂ、モビリティ管理ユニット（ＭＭＥ）、進化型ユニバーサル地上波無線アクセスネットワーク（Ｅ‐ＵＴＲＡＮ）、ＰｒｏＳｅ機能、ホーム加入者サーバ（ＨＳＳ）、セキュアユーザプレーンロケーション（ＳＵＰＬ）位置情報プラットフォーム（ＳＬＰ）、ＰｒｏＳｅアプリケーションサーバ、およびサービングゲートウェイ（ＳＧＷ）および／またはパケットデータネットワーク（ＰＤＮ）ゲートウェイ（ＰＧＷ）（例えば、Ｓ／Ｐ‐ＧＷ）を示す。
【００３２】
ＰｒｏＳｅ機能は、ＰｒｏＳｅに用いられるネットワーク関連アクションのために使用されてよい論理的な機能であってよい。ＰｒｏＳｅ機能は、ＰｒｏＳｅの諸特性の各々に対し、異なる役割を果たしてよい。３ＧＰＰ  ＴＳ２３．３０３リリース１２では、近接サービスをサポートする各ＰＬＭＮには、１つの論理的なＰｒｏＳｅ機能のみが存在することが想定されている。同一ＰＬＭＮ内に複数のＰｒｏＳｅ機能が配置される場合（例えば、負荷を理由として）、特定のＰｒｏＳｅアプリケーションコードを割り当てたＰｒｏＳｅ機能を見つける（例えば、データベースのルックアップ等を通して）ための方法は、当該仕様のこのバージョンでは定義されていないことに留意されたい。
【００３３】
ＰＣ１は、ＵＥ内およびＰｒｏＳｅアプリケーションサーバ内のＰｒｏＳｅアプリケーション間の参照ポイントであってよい。ＰＣ１は、アプリケーションレベルのシグナリング条件を定義するために使用されてよい。ＰＣ２は、ＰｒｏＳｅアプリケーションサーバとＰｒｏＳｅ機能との間の参照ポイントであってよい。ＰＣ２は、進化型パケットコア（ＥＰＣ）レベルのＰｒｏＳｅ発見のために、ＰｒｏＳｅ機能（例えば、名前変換）を介して、３ＧＰＰ  ＥＰＳによって提供される、ＰｒｏＳｅアプリケーションサーバとＰｒｏＳｅ機能との間のやり取りを定義するために使用されてよい。ＰＣ３は、ＵＥと、ＰｒｏＳｅ機能との間の参照ポイントであってよい。ＰＣ３は、転送のために、ＥＰＣのユーザプレーン（すなわち、「インターネットプロトコル（ＩＰ）上」の参照ポイント）に依拠してよい。ＰＣ３は、ＰｒｏＳｅ直接発見要求およびＥＰＣレベルのＰｒｏＳｅ発見要求を認証し、且つＰｒｏＳｅ直接発見に用いられるＰｒｏＳｅアプリケーション識別情報に対応するＰｒｏＳｅアプリケーションコードの割り当てを実行するために使用される。ＰＣ３は、ＰｒｏＳｅ直接発見（公共安全および非公共安全のための）およびＵＥとＰｒｏＳｅ機能との間の通信（公共安全のみ）のためのＰＬＭＮごとの認証ポリシーを定義するために使用されてよい。ＰＣ４ａは、ＨＳＳとＰｒｏＳｅ機能との間の参照ポイントであってよい。ＰＣ４ａは、ＰＬＭＮベースごとのＰｒｏＳｅ直接発見およびＰｒｏＳｅ直接通信のためのアクセスを認証すべく、サブスクリプション情報を提供するために用いられてよい。また、ＰＣ４ａは、ＥＰＣレベルのＰｒｏＳｅ発見に関する加入者データの取得のために、ＰｒｏＳｅ機能（すなわち、ＥＰＣレベルのＰｒｏＳｅ発見機能）によって使用されてよい。
【００３４】
ＰＣ４ｂは、セキュアユーザプレーンロケーション（ＳＵＰＬ）位置情報プラットフォーム（ＳＬＰ）と、ＰｒｏＳｅ機能との間の参照ポイントであってよい。ＰＣ４ｂは、ＰｒｏＳｅ機能（すなわち、ＥＰＣレベルのＰｒｏＳｅ発見機能）によって使用されてよい（ＳＬＰをクエリするためのＬＣＳクライアントの役割において）。ＰＣ５は、ＰｒｏＳｅが有効なＵＥ間の参照ポイントであってよく、それは、ＰｒｏＳｅ直接発見、ＰｒｏＳｅ直接通信およびＰｒｏＳｅ  ＵＥ対ネットワーク中継のための制御プレーンおよびユーザプレーンに用いられる。
【００３５】
ＰＣ６は、異なるＰＬＭＮにおけるＰｒｏＳｅ機能間の参照ポイント（ＥＰＣレベルのＰｒｏＳｅ発見）、または、ＨＰＬＭＮにおけるＰｒｏＳｅ機能と、ローカルＰＬＭＮにおけるＰｒｏＳｅ機能との間の参照ポイントであってよい（ＰｒｏＳｅ直接発見）。ＰｒｏＳｅ直接発見の場合、ＰＣ６参照ポイントは、ＰｒｏＳｅサービス認証のホーム地上波公共移動通信ネットワーク（ＨＰＬＭＮ）制御に使用されてよい。また、ＰＣ６は、ＰｒｏＳｅ直接発見要求の認証、発見フィルタに対応するＰｒｏＳｅアプリケーション識別情報（ＩＤ）名の取得、およびＰｒｏＳｅアプリケーションコードのＰｒｏＳｅアプリケーションＩＤ名への変換に使用されてよい。
【００３６】
Ｓ６ａの３ＧＰＰ  ＴＳ２３．４０１で定義される関連機能に加え、ＰｒｏＳｅ  Ｓ６ａは、進化型ユニバーサル地上波無線アクセスネットワーク（Ｅ‐ＵＴＲＡＮ）アタッチプロシージャ中に、ＰｒｏＳｅ関連サブスクリプション情報をモビリティ管理ユニット（ＭＭＥ）にダウンロードする、またはＨＳＳにおけるＭＭＥサブスクリプション情報が変更されたことを通知するために使用されてよい。Ｓ１‐ＭＭＥの３ＧＰＰ  ＴＳ２３．４０１で定義される関連機能に加え、ＰｒｏＳｅ  Ｓ１‐ＭＭＥを使用して、ＵＥがＰｒｏＳｅ直接発見を使用することが認証されていることの通知をｅＮＢに提供してもよい。
【００３７】
Ｖ２Ｘサービスは、Ｖ２Ｘセーフティメッセージの送信をサポートすべく、ＰｒｏＳｅ／デバイスツーデバイス（Ｄ２Ｄ）アーキテクチャを必要な機能強化と共に使用してよい。よって、本技術は、Ｖ２Ｘサービスの条件をサポートすべく、ＰｒｏＳｅアーキテクチャを最適化するために必要な機能強化をもたらす。より具体的には、本技術は、マルチキャスト機能によって置き換えられてよいブロードキャスト機能について説明する。
【００３８】
一態様において、３ＧＰＰにおけるＲＳＵ機能は、ｅＮｏｄｅＢ（すなわち、ｅＮＢ）内またはＵＥ内のいずれかに実装されてよい。また、ｅＮＢは、ｅＮＢがＶ２Ｉサービスをサポートし且つＵＥによって生成されるＶ２Ｉメッセージを、１または複数のｅＮＢを介して、低減された配信電力損失で、１００ミリ秒（ｍｓ）以内に他のＵＥに配信するというような１または複数の要件を含んでよい。
【００３９】
ここで図３を参照すると、一例による、ＰＣ３インタフェースを介する、ユーザ機器（ＵＥ）とＰｒｏＳｅ機能との間のＶ２Ｘ通信の一例である。一態様において、ＵＥとＰｒｏＳｅ機能との間のＶ２Ｘ通信は、ＰＣ３インタフェースを介して成されてよい。ｅＮＢは、ＰＣ３メッセージをＰｒｏＳｅ機能に対し中継してよい。しかしながら、図３に示される通り、ｅＮＢが、Ｓ１‐Ｕインタフェース経由のＩＰトンネル上で、インターネットプロトコル（ＩＰ）パケットを送信すると、当該パケットは、その後、ＰｒｏＳｅ機能に転送される（すなわち、パケットは、ユーザプレーン上でＰ‐ＧＷに送信され、Ｐ‐ＧＷからＰｒｏＳｅ機能に送信される）。すなわち、１）ＵＥは、Ｖ２ＸセーフティメッセージをｅＮＢ（例えば、Ｅ‐ＵＴＲＡＮまたは無線アクセスノード「ＲＡＮ」ノード）に送信する、２）ｅＮＢは、サービングゲートウェイ／ＰＤＮゲートウェイを介して、Ｖ２ＸセーフティメッセージをＰｒｏＳｅ機能に転送する、３）ＰｒｏＳｅ機能は、Ｖ２Ｘセーフティメッセージを処理し、Ｖ２ＸセーフティメッセージをｅＮＢに送り返す、４）ＰｒｏＳｅ機能は、セル内でブロードキャストされるべきＶ２Ｘセーフティメッセージをセル内のＵＥに送信する、および５）ｅＮＢは、Ｖ２Ｘセーフティメッセージをブロードキャストする。
【００４０】
パケットがセル内でブロードキャストされることになっている場合、ユーザプレーンでのＰｒｏＳｅ機能への送信は、追加的な遅延を生じさせる可能性があり、また、コアネットワーク内に余分なトラフィックを追加する可能性があることに留意されたい。次の２つの事例があることに留意されたい。すなわち、１）事例１。ＵＥが、Ｖ２Ｘメッセージを無線インタフェース（Ｕｕ）インタフェースを用いてネットワークに送信しており、ＲＡＮノードが、これらのメッセージをセル内（および／または他のＲＡＮノードへ）で転送することを決定する。２）事例２。ＵＥが、Ｖ２ＶメッセージをＤ２Ｄチャネル（例えば、サイドリンクチャネルまたはＶ２Ｘ通信のために定義されてよい他のチャネル）上で送信しており、ｅＮＢが、Ｄ２Ｄチャネルをリッスンし且つＶ２Ｘセーフティメッセージを受信する。ｅＮＢは、当該メッセージをセル内で、当該ＵＥからＶ２Ｘセーフティメッセージを直接受信しなかった可能性のあるＵＥに対し送信することを決定してよく、および／または、Ｖ２Ｘセーフティメッセージを他のセル内でブロードキャストされるために、他のｅＮＢに転送する。事例１および事例２の両方において、ｅＮＢは、ＲＳＵとして動作してよい。
【００４１】
ＲＳＵは、Ｖ２Ｘサービスレイヤによって要求されるとき、Ｖ２ＸサービスをサポートするＵＥへＶ２Ｘメッセージを送信するために構成可能である必要がある。Ｖ２Ｘサービスレイヤによって要求されると、ＲＳＵは、Ｖ２Ｘメッセージをトラフィックセーフティサーバおよび／またはＶ２ＸサービスをサポートするＵＥおよび／または他のＲＳＵに配信可能である必要がある。
【００４２】
一態様において、本技術は、ｅＮＢにおける少なくとも２つの条件を設ける。すなわち、要件１）ｅＮＢは、Ｖ２Ｉサービスをサポートし、ＵＥによって生成されるＶ２Ｉメッセージを、１または複数のｅＮＢを介して、低減された配信電力損失で１００ミリ秒（ｍｓ）以内に、他のＵＥに配信する。要件２）ｅＮＢはＲＳＵ、特に小さなセルのｅＮＢのためのＲＳＵであってよく、ｅＮＢは、新しいＶ２Ｘインタフェースを介した、セル内の他のＵＥおよび他のｅＮＢへのユーザプレーンメッセージの転送をサポートする。すなわち、当該新しいインタフェースは、ｅＮＢ／ＲＳＵと、ＰｒｏＳｅ／Ｖ２Ｘ機能との間に存在してよい。既存のインタフェースを使用して、メッセージをＵＥおよび他のｅＮＢに転送してよい。ＰｒｏＳｅ／Ｖ２Ｘ機能は、ＰｒｏＳｅ機能の一部またはスタンドアロンであってよい、Ｖ２Ｘ固有の機能であってよいことに留意されたい。
【００４３】
Ｖ２Ｘインタフェースは、ｅＮＢ（例えば、ＲＳＵ）と、ＰｒｏＳｅ／Ｖ２Ｘ機能との間の直接的なインタフェースであってよい。一態様において、ＰｒｏＳｅ／Ｖ２Ｘ機能のサブセットの実装が、ｅＮＢ／ＲＳＵ近傍またはｅＮＢ／ＲＳＵ内であってよい。一態様において、ＲＳＵは、仮想的な実装であってよい。ＵＥは、Ｖ２Ｘメッセージが、セル内でブロードキャストされるべきであるか、または、コアネットワーク内でＰｒｏＳｅ／Ｖ２Ｘ機能に直接送信されるべきであるかを、ｅＮＢ／ＲＳＵが決定することを可能にするＶ２Ｘ情報を、データパケットのヘッダ内に追加してよい。追加されるＶ２Ｘ情報は、媒体アクセス制御（ＭＡＣ）（Ｕｕ上またはＰＣ５上）ヘッダ、無線リンク制御（ＲＬＣ）（Ｕｕ上）ヘッダおよび／またはパケットデータ収束プロトコル（ＰＤＣＰ）（Ｕｕ上）ヘッダ内に追加されてよい。一態様において、ＵＥは、Ｕｕインタフェースを使用して、Ｖ２Ｘメッセージをネットワークに送信しており、ＲＡＮノードはこれらのメッセージをセル内（および／または他のＲＡＮノードへ）で転送することを決定する。代替的な一態様においては、ＵＥは、Ｄ２Ｄチャネル（サイドリンクチャネルまたはＰＣ５インタフェース上のＶ２Ｖのために定義されてよい別のチャネル）上でＶ２Ｖメッセージを送信しており、ｅＮＢはそのチャネルをリッスンし、またそのメッセージを受信する。
【００４４】
一態様において、メッセージの宛先のＩＰアドレスは、メッセージがセル内でブロードキャストされるべきであるか、またはコアネットワーク内でＰｒｏＳｅ／Ｖ２Ｘ機能に送信されるべきであるかを決定するために、ｅＮＢ／ＲＳＵによって使用されてよい。ｅＮＢ／ＲＳＵは、メッセージのタイプを解析してよい。Ｖ２Ｘメッセージが、Ｖ２Ｘセーフティメッセージである場合、当該Ｖ２Ｘセーフティメッセージは、セル内のすべてのユーザまたは一群の関連ＵＥに送信されてよく、これはＵＥの位置、サブスクリプションおよび／または他のコンテキスト情報に基づいて決定されてよい。Ｖ２Ｘメッセージがコアネットワーク内のＰｒｏＳｅ機能に送信されるべきであるか、または、Ｖ２Ｘメッセージがセル内で直ちにブロードキャストされるべきであるかを、ｅＮＢが識別できるようにするいくつかの特定の機能が、ｅＮＢ内に追加されてよいことに留意されたい。一態様において、ＵＥは、Ｖ２Ｘ情報をＭＡＣヘッダ、ＰＤＣＰのヘッダおよび／またはＲＬＣヘッダ内に追加してよい。
【００４５】
一態様において、サイドリンクチャネル（ＳＬ＿ＳＣＨ）のためのＭＡＣヘッダは、予約ビットを有してよい。当該予約ビットのうちの１つを使用して、Ｖ２ＸメッセージがＰｒｏＳｅ機能に送信されるべきであるか、またはＶ２Ｘメッセージがセル内で直ちにブロードキャストされるべきであるかが示されてよい。ｅＮＢ／ＲＳＵ内のＭＡＣがパケットを受信すると、ｅＮＢは、ＭＡＣヘッダビットを読み取る。例えば、当該ビットが１に設定されている場合、ｅＮＢ／ＲＳＵは、ＭＡＣレイヤ内の送信キューに当該Ｖ２Ｘメッセージを配置してよい。
【００４６】
一態様において、長いＰＤＣＰ  ＳＮ（１２ビット）パケットのＰＤＣＰヘッダは、予約ビットを含んでよい。これらの予約ビットのうちの１つを使用して、Ｖ２ＸメッセージがＰｒｏＳｅ機能に送信されるべきであるか、またはＶ２Ｘメッセージがセル内で直ちにブロードキャストされるべきであるかが示されてよい。ｅＮＢ／ＲＳＵ内のＰＤＣＰがＶ２Ｘメッセージを受信すると、ｅＮＢは、当該ヘッダビットを読み取る。例えば、当該ビットが１に設定されている場合、ｅＮＢ／ＲＳＵは、ＰＤＣＰレイヤ内の送信キューに当該Ｖ２Ｘメッセージを配置してよい。
【００４７】
短いＰＤＣＰ  ＳＮ（７ビット）パケットのためのＰＤＣＰヘッダは、予約ビットを含まない。この場合、Ｖ２Ｘメッセージ情報を表わすための新しいフィールドが追加されてよく、および／または、ＵＥは、このような送信のために長いＳＮヘッダを使用してよい。別の態様においては、ＭＡＣヘッダおよびＰＤＣＰヘッダの形態の説明と同様に、類似の変更がＲＬＣヘッダに行われてよい。
【００４８】
一態様において、ＤＳＲＣ  ＢＳＭ等のセーフティメッセージは、宛先アドレスを有していない。というのも、当該セーフティメッセージは主に近傍のユーザを目的としているからである。故に、一態様において、宛先アドレスが、Ｖ２Ｘセーフティメッセージに追加されてよく、ＩＰトランスポートプロトコルを用いてＵＥによって送信されてよい。この場合、ｅＮＢが、Ｖ２Ｘメッセージ（例えば、ＩＰパケット）が無線インタフェース上で、または、コアネットワーク内のＰｒｏＳｅ／Ｖ２Ｘ機能に対し、送信されるべきであるかを判断および識別できるように、特定の予め定義されたＩＰアドレスが使用されてよい。詳細なパケット検査を回避すべく、データパケットフィルタが、ｅＮＢ内に実装されてよい。パケットフィルタを使用して、ＩＰアドレスを進化型パケットサービス（ＥＰＳ）ベアラへマッピングし、または、ブロードキャスト態様でセルへ戻すようにマッピングしてよい。
【００４９】
一態様において、例えば、図４に図示の通り、Ｖ２Ｘメッセージ送信におけるレイテンシを低減すべく、ｅＮＢがパケットをＰｒｏＳｅ／Ｖ２Ｘ機能に直接送信できるように、ｅＮＢ／Ｅ‐ＵＴＲＡＮに直接向かうＶ２Ｘインタフェースが規定されてよい。そのようなものとして、図４は、一例による、無線通信ネットワーク内で、Ｖ２Ｘインタフェースを使用するユーザ機器（ＵＥ）と、Ｖ２Ｘ機能との間の第２の例示的なＶ２Ｘ通信を示す。一態様において、すべてのデータパケットがＰｒｏＳｅ／Ｖ２Ｘ機能に送信されてよく、ＰｒｏＳｅ／Ｖ２Ｘ機能は、パケットをＰｒｏＳｅアプリケーションサーバに転送するかどうか、または、それをセルに送り返すかどうかを決定してよい。これは、次のことによってなされてよい。すなわち、１）ＲＡＮノードがＶ２Ｘメッセージを無線ネットワーク経由で転送するべきか、またはＶ２ＸメッセージをＳ１‐Ｕに送信するべきかを、ｅＮＢが識別できるように、ヘッダがＵＥによって、データパケット（例えば、Ｖ２Ｘメッセージ）に追加される、２）Ｖ２ＸメッセージがＳ１‐Ｕに送信されるべきか（ＰｒｏＳｅ／Ｖ２ＸアプリケーションサーバのＩＰアドレス）、またはセル内でブロードキャストされるべきか（例えば、セルブロードキャストのための予め定義されたアドレス）を、ＲＡＮノードが識別できるように、ＩＰアドレスがＰｒｏＳｅ／Ｖ２Ｘ機能によって追加される、および３）Ｖ２ＸメッセージをＰｒｏＳｅ／Ｖ２Ｘおよびマルチメディアブロードキャストマルチキャストサービス（ＭＢＭＳ）サーバ間のインタフェースを用いて、ＭＢＭＳに送信する。
【００５０】
Ｖ２ＸメッセージをＰｒｏＳｅ／Ｖ２Ｘアプリケーションサーバに転送すべく、ＰｒｏＳｅ／Ｖ２Ｘ機能は、ＰｒｏＳｅ／Ｖ２ＸアプリケーションサーバのＩＰアドレスを追加し且つ当該Ｖ２ＸメッセージをｅＮＢ／ＲＳＵに送信してよい。ｅＮＢは、Ｖ２ＸメッセージをＳ１ＵインタフェースのＩＰトンネル上で、選択されたＰ‐ＧＷに転送してよい。これは、Ｕｕ上のＶ２Ｘメッセージ（Ｖ２Ｉメッセージ）またはＰＣ５上のＶ２Ｘメッセージ（Ｖ２Ｖメッセージ）のためになされてよいことに留意されたい。
【００５１】
図５は、無線通信ネットワーク内のユーザ機器（ＵＥ）と、Ｖ２Ｘ機能との間の第３の例示的なＶ２Ｘ通信を示す。
【００５２】
一態様において、ＲＡＮノードは、ＵＥから受信された各Ｖ２ＸメッセージをＲＳＵ機能に転送する。ＲＳＵ機能は、Ｖ２ＸメッセージがＰｒｏＳｅ／Ｖ２Ｘ機能に送信されるべきであるか、またはセルにブロードキャストされるべきであるかを決定してよい。すなわち、一態様において、ＰｒｏＳｅ／Ｖ２Ｘ機能は、コアネットワークに存在したままでよく、ユーザプレーンを介してのみアクセスされてよい。しかしながら、ＰｒｏＳｅ機能のサブセット（例えば、ＲＳＵ機能）は、ｅＮＢ／ＲＳＵ内および／またはｅＮＢ／ＲＳＵ近傍に実装されてよい。ＰｒｏＳｅ機能のサブセットをｅＮＢに、またはｅＮＢ近傍に含めることによって、それは、特定の場合に、ＰｒｏＳｅ／Ｖ２Ｘ機能と通信する負担を回避することに寄与してよい。一態様において、ｅＮＢでＵＥから受信されたあらゆるパケットが、ｅＮＢの近傍にある（および／またはｅＮＢ内に含まれる）ＲＳＵ機能に送信されてよい。ＲＳＵ機能は、データパケットがブロードキャストされるべきかどうか、またはデータパケットがユーザプレーンを介して、ＰｒｏＳｅ／Ｖ２Ｘ機能に転送されるべきかどうかを決定してよい。ＲＳＵ機能は、パケットの方向を決定するフィルタとして機能する。ブロードキャストは、Ｕｕ上（Ｖ２Ｉメッセージ）またはＰＣ５上（Ｖ２Ｖメッセージ）で行われてよいことに留意されたい。
【００５３】
図６および図７は、無線通信ネットワーク内のユーザ機器（ＵＥ）と、Ｖ２Ｘ機能との間の第４および第５の例示的なＶ２Ｘ通信を示す。一態様において、１または複数のＲＳＵ機能が、各ｅＮＢに対し作成されてよい。例えば、各ＰｒｏＳｅ／Ｖ２Ｘ機能に対し、ＲＡＮノード（例えば、ｅＮＢ）ごとに、１つのＲＳＵ機能が作成されてよい。各ＰｒｏＳｅ／Ｖ２Ｘ機能に対し１つのＲＳＵ機能とは、ＰｒｏＳｅ／Ｖ２Ｘ機能とＲＳＵ機能との間に１対多の関係性が存在することを意味する。１または複数のＲＳＵ機能が、ｅＮＢの各々の近傍に存在してよく、および／または、１または複数のＲＳＵ機能が、ｅＮＢの各々の一部として実装されてよいことに留意されたい。追加の態様において、単一のＲＳＵ機能が、作成され、複数のｅＮＢによって共有されてよい。すなわち、複数のＲＡＮノード（ｅＮＢ）が、複数のＲＡＮノードの位置に基づいて、同一のＲＳＵ機能を共有してよく、例えば、一群のＲＡＮノードが作成されてよい。一群のＲＡＮノードは、同一のＲＳＵ機能を共有してよい。
【００５４】
図８は、仮想ネットワーク内のユーザ機器（ＵＥ）とＶ２Ｘ機能との間の第６の例示的なＶ２Ｘ通信を示す。一実施形態において、ＲＳＵ機能は、ｅＮＢ内でサポートされてよい。すなわち、複数のＲＳＵネットワーク機能が、商用オフザシェルフ（ＣＯＴＳ）のハードウェアインフラ上で、インスタンス化（例えば、仮想化インフラ）されてよい。１または複数のＲＳＵインスタンスは、任意の特定の時点におけるトラフィック要求に基づく、各ＲＳＵ遠隔無線ヘッド（ＲＲＨ）の要求に対し、サービス提供可能である。例えば、ピークトラフィックシナリオの間、単一のＲＳＵインスタンス上でのオーバーロードに起因するエラーを回避すべく、ＲＳＵの複数のインスタンスが分離生成（ｓｐｉｎ  ｏｆｆ）（例えば、初期化または作成）され、非常に高いトラフィック（例えば、ネットワーク動作のための予め定義されたトラフィック標準よりも大きいトラフィック等、トラフィックが稼働ネットワークの標準負荷より大きい場合）が受信されるＲＳＵ  ＲＲＨをサポートしてよい。すなわち、データトラフィックが予め定義された閾値を超える場合に、ＲＳＵ  ＲＲＨをサポートすべく、ＲＳＵの複数のインスタンスが、仮想的に作成されてよい。トラフィックが予め定義された閾値レベル未満に減少した（例えば、標準状態に戻った）場合、当該複数のＲＳＵインスタンスは、リソースの過小使用を回避すべく、シャットダウンされてよい。ｅＮＢにおいて、ＲＳＵ機能のための仮想化インフラプールが、使用および／または作成されてよい。故に、ｅＮＢにおけるＲＳＵ機能のための仮想化インフラプールは、特に、予期不能なトラフィック負荷に起因するＶ２Ｘセーフティ通信条件の場合に、コンピューティングリソース効率性および利用率の増加をもたらす。
【００５５】
一態様において、ｅＮＢ／ＲＳＵが、各Ｖ２Ｘセーフティメッセージ内に配置されてよいＶ２ＸメッセージＩＤを読み取ってよい。Ｖ２Ｘメッセージがセーフティメッセージである場合、Ｖ２Ｘメッセージは、セル内のすべてのユーザに送信されてよく、ｅＮＢ／ＲＳＵが当該パケットをＰｒｏＳｅ機能に転送する代わりに、無線ネットワーク上で当該パケットを送信する。ＤＳＲＣプロトコルのためのセーフティメッセージ（ＢＳＭ）の擬似コードの一例が、以下に示される。異なるプロトコルは、異なるメッセージ構造を有することになる。
［セーフティメッセージ（ＢＳＭ）擬似コード］
【数１】
2018523322.tif 000003
【００５６】
図９は、無線通信ネットワーク内のユーザ機器（ＵＥ）と、Ｖ２Ｘ機能との間でＶ２Ｘ通信を実行するように動作可能なｅＮｏｄｅＢの機能を示す。別の例は、図９のフローチャートに示されるような、ユーザ機器（ＵＥ）とＶ２Ｘ機能との間でＶ２Ｘ通信を実行するように動作可能なｅＮｏｄｅＢの機能９００を提供する。当該機能は、方法として実装されてよく、または当該機能は、機械上で命令として実行されてよく、この場合、命令は、１または複数のコンピュータ可読媒体または非一時的機械可読記録媒体上に含まれる。ｅＮｏｄｅＢは、ブロック９１０の通り、ユーザ機器（ＵＥ）から受信されるＶＥＨＩＣＬＥ‐ＴＯ‐ＡＮＹＴＨＩＮＧ（Ｖ２Ｘ）識別情報を含むデータパケットを処理するように構成された１または複数のプロセッサおよびメモリを備えてよい。ｅＮｏｄｅＢは、ブロック９２０の通り、Ｖ２Ｘ識別情報に従い、データパケットをＶ２Ｘメッセージとして識別するように構成された１または複数のプロセッサおよびメモリを備えてよい。ｅＮｏｄｅＢは、ブロック９３０の通り、Ｖ２ＸメッセージがＶ２Ｘ機能に転送されるべきであることを判断するように構成された１または複数のプロセッサおよびメモリを備えてよい。ｅＮｏｄｅＢは、ブロック９４０の通り、Ｖ２Ｘインタフェースを介して、Ｖ２Ｘ機能に直接送信するためにＶ２Ｘメッセージを処理するように構成された１または複数のプロセッサおよびメモリを備えてよい。
【００５７】
図１０は、無線通信ネットワーク内のユーザ機器（ＵＥ）とＶ２Ｘ機能との間のＶ２Ｘ通信を実行するように動作可能な路側アシスタンスユニット（ＲＳＵ）の機能を示す。機能１０００は、方法として実装されてよく、または当該機能は、機械上で命令として実行されてよく、この場合、命令は、１または複数のコンピュータ可読媒体または非一時的機械可読記録媒体上に含まれる。ＲＳＵは、ブロック１０１０の通り、ユーザ機器（ＵＥ）から送信されるデータパケットをＶ２Ｘメッセージとして識別するように構成された１または複数のプロセッサおよびメモリを備えてよい。ＲＳＵは、ブロック１０２０の通り、Ｖ２Ｘメッセージが、セル内でマルチキャスト、ユニキャスト若しくはブロードキャストされるべきであること、またはＶ２Ｘメッセージが、Ｖ２Ｘインタフェースを介して、Ｖ２Ｘ機能に転送されるべきであることを判断してよい。ＲＳＵは、ブロック１０３０の通り、Ｖ２Ｘメッセージを、Ｖ２Ｘインタフェースを介して、Ｖ２Ｘ機能に直接送信するために処理してよく、またはＲＳＵは、Ｖ２Ｘメッセージをセルにマルチキャスト、ユニキャスト若しくはブロードキャストしてよい。
【００５８】
図１１は、無線通信ネットワーク内のユーザ機器（ＵＥ）とＶ２Ｘ機能との間のＶ２Ｘ通信を実行するように動作可能なＶ２Ｘ機能の機能を示す。別の例は、図１１のフローチャートに示されるような、無線通信ネットワーク内のユーザ機器（ＵＥ）とＶ２Ｘ機能との間のＶ２Ｘ通信を実行するように動作可能なＶ２Ｘ機能の機能１１００を提供する。当該機能は、方法として実装されてよく、または当該機能は、機械上で命令として実行されてよく、この場合、命令は、少なくとも１つのコンピュータ可読媒体または１または複数の非一時的機械可読記録媒体上に含まれる。Ｖ２Ｘ機能は、ブロック１１１０の通り、Ｖ２Ｘインタフェースを介して、ｅＮｏｄｅＢから直接受信されるＶ２Ｘ識別情報を含むＶＥＨＩＣＬＥ‐ＴＯ‐ＡＮＹＴＨＩＮＧ（Ｖ２Ｘ）メッセージを処理するように構成された１または複数のプロセッサおよびメモリを備えてよい。Ｖ２Ｘ機能は、ブロック１１２０の通り、Ｖ２Ｘアプリケーションサーバのインターネットプロトコル（ＩＰ）アドレスを追加してよい。Ｖ２Ｘ機能は、ブロック１１３０の通り、Ｖ２Ｘメッセージが、Ｖ２Ｘアプリケーションサーバに送信され得るように、Ｖ２ＸメッセージをｅＮｏｄｅＢに送信するために処理してよい。
【００５９】
図１２は、一例による、無線デバイス（例えば、ＵＥ）の図を示す。図１２は、ユーザ機器（ＵＥ）、移動局（ＭＳ）、モバイル無線デバイス、モバイル通信デバイス、タブレット、ハンドセットまたは他のタイプの無線デバイス等、無線デバイスの一例を示す。一態様において、無線デバイスは、アンテナ、タッチセンサ式ディスプレイ画面、スピーカ、マイク、グラフィックプロセッサ、ベースバンドプロセッサ、アプリケーションプロセッサ、内蔵メモリ、不揮発性メモリポート、およびこれらの組み合わせのうちの少なくとも１つを含んでよい。
【００６０】
無線デバイスは、基地局（ＢＳ）、進化型ノードＢ（ｅＮＢ）、ベースバンドユニット（ＢＢＵ）、遠隔無線ヘッド（ＲＲＨ）、遠隔無線機器（ＲＲＥ）、中継局（ＲＳ）、無線機器（ＲＥ）、遠隔無線ユニット（ＲＲＵ）、中央処理モジュール（ＣＰＭ）、または他のタイプの無線ワイドエリアネットワーク（ＷＷＡＮ）アクセスポイント等のノードまたは送信局と通信するように構成された１または複数のアンテナを含んでよい。無線デバイスは、３ＧＰＰ  ＬＴＥ、ＷｉＭＡＸ（登録商標）、高速パケットアクセス（ＨＳＰＡ）、Ｂｌｕｅｔｏｏｔｈ（登録商標）およびＷｉＦｉ（登録商標）を含む少なくとも１つの無線通信規格を使用して通信するように構成されてよい。無線デバイスは、各無線通信規格用の別個のアンテナまたは複数の無線通信規格用の共有アンテナを用いて通信してよい。無線デバイスは、無線ローカルエリアネットワーク（ＷＬＡＮ）、無線パーソナルエリアネットワーク（ＷＰＡＮ）および／またはＷＷＡＮ内で通信してよい。モバイルデバイスは、記録媒体を含んでよい。一態様において、記録媒体は、アプリケーションプロセッサ、グラフィックプロセッサ、ディスプレイ、不揮発性メモリポート、および／または内蔵メモリと関連付けられてよく、および／またはそれらと通信してよい。一態様において、アプリケーションプロセッサおよびグラフィックプロセッサは、記録媒体である。
【００６１】
図１３は、一例による、ユーザ機器（ＵＥ）デバイスの例示的なコンポーネントの図を示す。図１３は、一態様のユーザ機器（ＵＥ）デバイス１３００の例示的なコンポーネントを示す。いくつかの態様において、ＵＥデバイス１３００は、少なくとも図示の通り、共に連結されたアプリケーション回路１３０２、ベースバンド回路１３０４、無線周波数（ＲＦ）回路１３０６、フロントエンドモジュール（ＦＥＭ）回路１３０８および１または複数のアンテナ１３１０を含んでよい。
【００６２】
アプリケーション回路１３０２は、１または複数のアプリケーションプロセッサを含んでよい。例えば、アプリケーション回路１３０２は、限定はされないが、１または複数のシングルコアプロセッサまたはマルチコアプロセッサ等の回路を含んでよい。プロセッサは、汎用プロセッサおよび専用プロセッサ（例えば、グラフィックプロセッサ、アプリケーションプロセッサ等）の任意の組み合わせを含んでよい。プロセッサは、メモリ／ストレージに連結されてよく、および／またはメモリ／ストレージを含んでよく、プロセッサは、様々なアプリケーションおよび／またはオペレーティングシステムがシステム上で実行できるようにするためのメモリ／ストレージ内に格納された命令を実行するように構成されてよい。
【００６３】
ベースバンド回路１３０４は、限定はされないが、１または複数のシングルコアプロセッサまたはマルチコアプロセッサ等の回路を含んでよい。ベースバンド回路１３０４は、ＲＦ回路１３０６の受信信号パスから受信されるベースバンド信号を処理し、ＲＦ回路１３０６の送信信号パスのためのベースバンド信号を生成するための１または複数のベースバンドプロセッサおよび／または制御ロジックを含んでよい。ベースバンド処理回路１３０４は、ベースバンド信号の生成および処理のために、並びにＲＦ回路１３０６の動作を制御するために、アプリケーション回路１３０２とやり取りしてよい。例えば、いくつかの態様において、ベースバンド回路１３０４は、第２世代（２Ｇ）ベースバンドプロセッサ１３０４ａ、第３世代（３Ｇ）ベースバンドプロセッサ１３０４ｂ、第４世代（４Ｇ）ベースバンドプロセッサ１３０４ｃ、および／または他の既存世代、開発中の若しくは将来開発されるべき世代（例えば、第５世代（５Ｇ）、６Ｇ等）の他のベースバンドプロセッサ１３０４ｄを含んでよい。ベースバンド回路１３０４（例えば、ベースバンドプロセッサ１３０４ａ〜ｄのうちの１または複数）は、ＲＦ回路１３０６を介する１または複数の無線ネットワークとの通信を可能にする様々な無線制御機能を処理してよい。無線制御機能としては、限定はされないが、信号変調／復調、エンコーディング／デコーディング、無線周波数シフト等が含まれてよい。いくつかの態様において、ベースバンド回路１３０４の変調／復調回路は、高速フーリエ変換（ＦＦＴ）、プリコーディング、および／またはコンステレーションマッピング／デマッピング機能を含んでよい。いくつかの態様において、ベースバンド回路１３０４のエンコーディング／デコーディング回路は、コンボリューション、テールバイティングコンボリューション、ターボ、ビタビ、および／または低密度パリティチェック（ＬＤＰＣ）エンコーダ／デコーダ機能を含んでよい。変調／復調およびエンコーダ／デコーダ機能の態様はこれらの例に限定されず、他の態様においては、他の好適な機能を含んでよい。
【００６４】
いくつかの態様において、ベースバンド回路１３０４は、例えば、進化型ユニバーサル地上波無線アクセスネットワーク（ＥＵＴＲＡＮ）プロトコルの要素といったプロトコルスタックの要素を含んでよく、それらには、例えば、物理（ＰＨＹ）、媒体アクセス制御（ＭＡＣ）、無線リンク制御（ＲＬＣ）、パケットデータ収束プロトコル（ＰＤＣＰ）および／または無線リソース制御（ＲＲＣ）要素が含まれる。ベースバンド回路１３０４の中央処理装置（ＣＰＵ）１３０４ｅは、ＰＨＹ、ＭＡＣ、ＲＬＣ、ＰＤＣＰおよび／またはＲＲＣレイヤのシグナリングのためのプロトコルスタックの要素を実行するように構成されてよい。いくつかの態様において、ベースバンド回路は、１または複数のオーディオデジタル信号プロセッサ（ＤＳＰ）１３０４ｆを含んでよい。オーディオＤＳＰ  １３０４ｆは、圧縮／圧縮解除およびエコーキャンセルのための要素を含んでよく、他の態様においては、他の好適な処理要素を含んでよい。ベースバンド回路の複数のコンポーネントが単一のチップまたは単一のチップセット内で好適に組み合わされてよく、またはいくつかの態様においては、同一回路基板上に配置されてよい。いくつかの態様において、ベースバンド回路１３０４およびアプリケーション回路１３０２の構成コンポーネントのうちの一部または全部が、例えばシステムオンチップ（ＳＯＣ）等の上に一緒に実装されてよい。
【００６５】
いくつかの態様において、ベースバンド回路１３０４は、１または複数の無線技術と互換性のある通信を提供してよい。例えば、いくつかの態様において、ベースバンド回路１３０４は、進化型ユニバーサル地上波無線アクセスネットワーク（ＥＵＴＲＡＮ）および／または他の無線メトロポリタンエリアネットワーク（ＷＭＡＮ）、無線ローカルエリアネットワーク（ＷＬＡＮ）、無線パーソナルエリアネットワーク（ＷＰＡＮ）との通信をサポートしてよい。ベースバンド回路１３０４が、２つ以上の無線プロトコルの無線通信をサポートするように構成されている態様は、マルチモードベースバンド回路と称されてよい。
【００６６】
ＲＦ回路１３０６は、非固体媒質を通して変調された電磁放射を使用する無線ネットワークとの通信を有効にしてよい。様々な態様において、ＲＦ回路１３０６は、無線ネットワークとの通信を容易にするためのスイッチ、フィルタ、増幅器等を含んでよい。ＲＦ回路１３０６は、受信信号パスを含んでよく、受信信号パスは、ＦＥＭ回路１３０８から受信されたＲＦ信号をダウンコンバートし、ベースバンド回路１３０４にベースバンド信号を提供するための回路を含んでよい。また、ＲＦ回路１３０６は、送信信号パスも含んでよく、送信信号パスは、ベースバンド回路１３０４によって提供されたベースバンド信号をアップコンバートし、ＲＦ出力信号を送信のためにＦＥＭ回路１３０８に提供するための回路を含んでよい。
【００６７】
いくつかの態様において、ＲＦ回路１３０６は、受信信号パスおよび送信信号パスを含んでよい。ＲＦ回路１３０６の受信信号パスは、ミキサ回路１３０６ａ、増幅回路１３０６ｂ、およびフィルタ回路１３０６ｃを含んでよい。ＲＦ回路１３０６の送信信号パスは、フィルタ回路１３０６ｃおよびミキサ回路１３０６ａを含んでよい。また、ＲＦ回路１３０６は、受信信号パスおよび送信信号パスのミキサ回路１３０６ａによる使用のために周波数を合成するシンセサイザ回路１３０６ｄも含んでよい。いくつかの態様において、受信信号パスのミキサ回路１３０６ａは、シンセサイザ回路１３０６ｄによって提供される合成された周波数に基づいて、ＦＥＭ回路１３０８から受信されたＲＦ信号をダウンコンバートするように構成されてよい。増幅回路１３０６ｂは、ダウンコンバートされた信号を増幅するように構成されてよく、フィルタ回路１３０６ｃは、ダウンコンバートされた信号から不要な信号を除去して、出力ベースバンド信号を生成するように構成されたローパスフィルタ（ＬＰＦ）またはバンドパスフィルタ（ＢＰＦ）であってよい。出力ベースバンド信号は、さらなる処理のためにベースバンド回路１３０４に提供されてよい。いくつかの態様において、出力ベースバンド信号は、ゼロ周波数のベースバンド信号であってよいが、これは要件ではない。いくつかの態様において、受信信号パスのミキサ回路１３０６ａは、パッシブミキサを含んでよいが、本態様の範囲はこの点において限定はされない。
【００６８】
いくつかの態様において、送信信号パスのミキサ回路１３０６ａは、シンセサイザ回路１３０６ｄによって提供される合成された周波数に基づいて、入力ベースバンド信号をアップコンバートして、ＦＥＭ回路１３０８のためのＲＦ出力信号を生成するように構成されてよい。ベースバンド信号は、ベースバンド回路１３０４によって提供されてよく、フィルタ回路１３０６ｃによってフィルタリングされてよい。フィルタ回路１３０６ｃは、ローパスフィルタ（ＬＰＦ）を含んでよいが、本態様の範囲はこの点において限定はされない。
【００６９】
いくつかの態様において、受信信号パスのミキサ回路１３０６ａおよび送信信号パスのミキサ回路１３０６ａは、２または２より多いミキサを含んでよく、それぞれ直交ダウンコンバージョンおよび／または直交アップコンバージョン用に構成されてよい。いくつかの態様において、受信信号パスのミキサ回路１３０６ａおよび送信信号パスのミキサ回路１３０６ａは、２または２より多いミキサを含んでよく、イメージ除去（例えば、ハートレーイメージ除去）用に構成されてよい。いくつかの態様において、受信信号パスのミキサ回路１３０６ａおよび送信信号パスのミキサ回路１３０６ａは、それぞれダイレクトダウンコンバージョンおよび／またはダイレクトアップコンバージョン用に構成されてよい。いくつかの態様において、受信信号パスのミキサ回路１３０６ａおよび送信信号パスのミキサ回路１３０６ａは、スーパーヘテロダイン操作用に構成されてよい。
【００７０】
いくつかの態様において、出力ベースバンド信号および入力ベースバンド信号は、アナログベースバンド信号であってよいが、本態様の範囲はこの点において限定はされない。いくつかの代替的な態様においては、出力ベースバンド信号および入力ベースバンド信号は、デジタルベースバンド信号であってよい。これらの代替的な態様においては、ＲＦ回路１３０６は、アナログ‐デジタルコンバータ（ＡＤＣ）およびデジタル‐アナログコンバータ（ＤＡＣ）回路を含んでよく、ベースバンド回路１３０４は、ＲＦ回路１３０６と通信するためのデジタルベースバンドインタフェースを含んでよい。
【００７１】
いくつかのデュアルモードの実施形態においては、各スペクトルの信号を処理するために、別個の無線ＩＣ回路が設けられてよいが、本実施形態の範囲はこの点において限定はされない。
【００７２】
いくつかの実施形態において、シンセサイザ回路１３０６ｄは、フラクショナル‐ＮシンセサイザまたはフラクショナルＮ／Ｎ＋１シンセサイザであってよいが、他のタイプの周波数シンセサイザが好適であってよいように、本実施形態の範囲はこの点において限定はされない。例えば、シンセサイザ回路１３０６ｄは、デルタ‐シグマシンセサイザ、周波数逓倍器、または周波数分周器を用いる位相ロックループを持つシンセサイザであってよい。
【００７３】
シンセサイザ回路１３０６ｄは、周波数入力および分周器制御入力に基づき、ＲＦ回路１３０６のミキサ回路１３０６ａによる使用のために出力周波数を合成するように構成されてよい。いくつかの実施形態において、シンセサイザ回路１３０６ｄは、フラクショナルＮ／Ｎ＋１シンセサイザであってよい。
【００７４】
いくつかの実施形態において、周波数入力は電圧制御発振器（ＶＣＯ）によって提供されてよいが、それは要件ではない。分周器制御入力は、所望の出力周波数に応じて、ベースバンド回路１３０４またはアプリケーションプロセッサ１３０２のいずれかによって提供されてよい。いくつかの実施形態において、分周器制御入力（例えば、Ｎ）は、アプリケーションプロセッサ１３０２によって示されるチャネルに基づき、ルックアップテーブルから決定されてよい。
【００７５】
ＲＦ回路１３０６のシンセサイザ回路１３０６ｄは、分周器、遅延ロックループ（ＤＬＬ）、マルチプレクサ、および位相アキュムレータを含んでよい。いくつかの実施形態において、分周器は、デュアルモジュラス分周器（ＤＭＤ）であってよく、位相アキュムレータは、デジタル位相アキュムレータ（ＤＰＡ）であってよい。いくつかの実施形態において、ＤＭＤは、入力信号をＮまたはＮ＋１（例えば、キャリーアウトに基づく）のいずれかで分周して、分周比をもたらすように構成されてよい。いくつかの例示的な実施形態においては、ＤＬＬは、カスケードされたチューニング可能な遅延素子、位相検出器、チャージポンプおよびＤタイプフリップ‐フロップのセットを含んでよい。これらの実施形態において、遅延素子は、ＶＣＯ期間をＮｄの等しい位相パケットに分割するように構成されてよく、ここでＮｄは遅延ラインの遅延素子の数である。このように、ＤＬＬは、遅延ラインによる合計遅延が１ＶＣＯサイクルであることを保証することに寄与すべく、負のフィードバックを提供する。
【００７６】
いくつかの実施形態において、シンセサイザ回路１３０６ｄは、出力周波数としてキャリア周波数を生成するように構成されてよい一方、他の実施形態においては、出力周波数はキャリア周波数の倍数であってよく（例えば、キャリア周波数の２倍、キャリア周波数の４倍）、出力周波数を直交発生器および分周回路と併用して、キャリア周波数において互いに対して複数の異なる位相を持つ多重信号を生成してよい。いくつかの実施形態において、出力周波数は、ＬＯ周波数（ｆＬＯ）であってよい。いくつかの実施形態において、ＲＦ回路１３０６は、ＩＱ／極座標変換器を含んでよい。
【００７７】
ＦＥＭ回路１３０８は、受信信号パスを含んでよく、受信信号パスは、１または複数のアンテナ１３１０から受信されたＲＦ信号を処理し、受信された信号を増幅し、受信された信号を増幅したものをＲＦ回路１３０６に対しさらなる処理のために提供するように構成された回路を含んでよい。また、ＦＥＭ回路１３０８は、送信信号パスも含んでよく、送信信号パスは、ＲＦ回路１３０６によって提供される送信のための信号を、１または複数のアンテナ１３１０のうちの１または複数による送信のために、増幅するように構成された回路を含んでよい。
【００７８】
いくつかの実施形態において、ＦＥＭ回路１３０８は、送信モード処理および受信モード処理間を切り替えるＴＸ／ＲＸスイッチを含んでよい。ＦＥＭ回路は、受信信号パスおよび送信信号パスを含んでよい。ＦＥＭ回路の受信信号パスは、受信されたＲＦ信号を増幅し、増幅された受信ＲＦ信号を出力（例えば、ＲＦ回路１３０６への）として提供するための低雑音増幅器（ＬＮＡ）を含んでよい。ＦＥＭ回路１３０８の送信信号パスは、入力ＲＦ信号（例えば、ＲＦ回路１３０６によって提供された）を増幅するためのパワーアンプ（ＰＡ）、および後続の送信（例えば、１または複数のアンテナ１３１０のうちの１または複数による）のためにＲＦ信号を生成するための１または複数のフィルタを含んでよい。
【００７９】
いくつかの実施形態において、ＵＥデバイス１３００は、例えば、メモリ／ストレージ、ディスプレイ、カメラ、センサ、および／または入/出力（Ｉ／Ｏ）インタフェース等の追加の要素を含んでよい。
【００８０】
図１４は、一例による、ノード１４１０（例えば、ｅＮＢおよび／またはサービングＧＰＲＳサポートノード）および無線デバイス（例えば、ＵＥ）のダイアグラム１４００を示す。ノードは、基地局（ＢＳ）、ノードＢ（ＮＢ）、進化型ノードＢ（ｅＮＢ）、ベースバンドユニット（ＢＢＵ）、遠隔無線ヘッド（ＲＲＨ）、遠隔無線機器（ＲＲＥ）、遠隔無線ユニット（ＲＲＵ）または中央処理モジュール（ＣＰＭ）を含んでよい。一態様において、ノードは、サービングＧＰＲＳサポートノードであってよい。ノード１４１０は、ノードデバイス１４１２を含んでよい。ノードデバイス１４１２またはノード１４１０は、無線デバイス１４２０と通信するように構成されてよい。ノードデバイス１４１２は、説明された技術を実装するように構成されてよい。ノードデバイス１４１２は、処理モジュール１４１４および送受信機モジュール１４１６を含んでよい。一態様において、ノードデバイス１４１２は、ノード１４１０の回路１４１８を形成する送受信機モジュール１４１６および処理モジュール１４１４を含んでよい。一態様において、送受信機モジュール１４１６および処理モジュール１４１４は、ノードデバイス１４１２の回路を形成してよい。処理モジュール１４１４は、１または複数のプロセッサおよびメモリを含んでよい。一実施形態において、処理モジュール１４２２は、１または複数のアプリケーションプロセッサを含んでよい。送受信機モジュール１４１６は、送受信機、１または複数のプロセッサおよびメモリを含んでよい。一実施形態において、送受信機モジュール１４１６は、ベースバンドプロセッサを含んでよい。
【００８１】
無線デバイス１４２０は、送受信機モジュール１４２４および処理モジュール１４２２を含んでよい。処理モジュール１４２２は、１または複数のプロセッサおよびメモリを含んでよい。一実施形態において、処理モジュール１４２２は、１または複数のアプリケーションプロセッサを含んでよい。送受信機モジュール１４２４は、送受信機、および１または複数のプロセッサおよびメモリを含んでよい。一実施形態において、送受信機モジュール１４２４は、ベースバンドプロセッサを含んでよい。無線デバイス１４２０は、説明された技術を実装するように構成されてよい。また、ノード１４１０および無線デバイス１４２０は、送受信機モジュール１４１６、１４２４および／または処理モジュール１４１４、１４２２等の１または複数の記録媒体を含んでもよい。
【００８２】
本明細書で使用される「回路」という用語は、１または複数のソフトウェアまたはファームウェアプログラムを実行する特定用途向け集積回路（ＡＳＩＣ）、電子回路、プロセッサ（共有、専用、またはグループ）および／またはメモリ（共有、専用、またはグループ）、組み合わせロジック回路、並びに／または説明した機能を提供する他の好適なハードウェアコンポーネントを指してよく、それらの一部であってよく、またはそれらを含んでよい。いくつかの態様において、回路は、１または複数のソフトウェアまたはファームウェアモジュール内に実装されてよく、または回路に関連する諸機能は、１または複数のソフトウェアまたはファームウェアモジュールによって実装されてよい。いくつかの態様において、回路は、ハードウェアにおいて少なくとも部分的に動作可能なロジックを含んでよい。
【００８３】
様々な技術、またはそれらのうちの特定の態様若しくは部分は、フロッピー（登録商標）ディスク、コンパクトディスクリードオンリメモリ（ＣＤ‐ＲＯＭ）、ハードドライブ、非一時的コンピュータ可読記録媒体、またはその他の機械可読記録媒体等の有形媒体に具現化されるプログラムコード（すなわち、命令）の形を取ってよく、プログラムコードがコンピュータ等の機械にロードされ、当該機械によって実行されると、当該機械は当該様々な技術を実施するための装置となる。回路は、ハードウェア、ファームウェア、プログラムコード、実行可能コード、コンピュータ命令および／またはソフトウェアを含んでよい。非一時的コンピュータ可読記録媒体は、信号を含まないコンピュータ可読記録媒体であってよい。プログラム可能なコンピュータ上でのプログラムコードの実行の場合、コンピューティングデバイスは、プロセッサ、プロセッサによって読み取り可能な記録媒体（揮発性および不揮発性のメモリおよび／または記憶素子を含む）、少なくとも１つの入力デバイス、および少なくとも１つの出力デバイスを含んでよい。揮発性および不揮発性のメモリおよび／または記憶素子は、ランダムアクセスメモリ（ＲＡＭ）、消去可能プログラマブルリードオンリメモリ（ＥＰＲＯＭ）、フラッシュドライブ、光ドライブ、磁気ハードドライブ、ソリッドステートドライブ、または電子データを格納するための他の媒体であってよい。また、ノードおよび無線デバイスは、送受信機モジュール（すなわち、送受信機）、カウンタモジュール（すなわち、カウンタ）、処理モジュール（すなわち、プロセッサ）および／またはクロックモジュール（すなわち、クロック）またはタイマモジュール（すなわち、タイマ）を含んでもよい。本明細書に記載の様々な技術を実装してよいまたは利用してよい１または複数のプログラムは、アプリケーションプログラミングインタフェース（ＡＰＩ）、再利用可能なコントトロール等を使用してよい。このようなプログラムは、コンピュータシステムと通信するために、高水準の手続型プログラミング言語またはオブジェクト指向型プログラミング言語で実装されてよい。しかしながら、所望される場合、プログラムは、アセンブリ言語または機械言語で実装されてよい。いずれの場合であっても、言語は、コンパイル型または解釈型の言語であってよく、ハードウェア実装と組み合わされてよい。
［実施例］
【００８４】
以下の実施例は、特定の技術の実施形態に関し、当該実施形態を実現するにおいて使用されてよい、または組み合わされてよい特定の特徴部、構成要素、または段階を記載する。
【００８５】
例１は、１または複数のプロセッサおよびメモリを備える、無線通信ネットワーク内のＶＥＨＩＣＬＥ‐ＴＯ‐ＡＮＹＴＨＩＮＧ（Ｖ２Ｘ）通信をサポートするように動作可能なｅＮｏｄｅＢの装置を含み、上記１または複数のプロセッサおよびメモリは、ユーザ機器（ＵＥ）から受信されるＶ２Ｘ識別情報を含むデータパケットを処理し、上記Ｖ２Ｘ識別情報に従い、上記データパケットをＶ２Ｘメッセージとして識別し、上記Ｖ２Ｘメッセージは、Ｖ２Ｘ機能に転送されるべきであることを判断し、上記Ｖ２Ｘメッセージを、Ｖ２Ｘインタフェースを介して、上記Ｖ２Ｘ機能に直接送信するために処理するように構成されている。
【００８６】
例２は、例１に係る装置を含み、さらに、上記ＵＥからデバイスツーデバイス（Ｄ２Ｄ）チャネル経由で受信される上記データパケットを処理する、および／または、セルラインタフェース（例えば、ＬＴＥ  Ｕ）経由で受信される上記データパケットを処理するように構成されている、装置である。
【００８７】
例３は、例１または２に係る装置を含み、上記ｅＮｏｄｅＢは、路側ユニット（ＲＳＵ）である。
【００８８】
例４は、例１に係る装置を含み、上記ｅＮｏｄｅＢは、路側ユニット（ＲＳＵ）を少なくとも１つの代替的なｅＮｏｄｅＢと共有する。
【００８９】
例５は、例１または４に係る装置を含み、さらに、上記Ｖ２Ｘメッセージを、上記Ｖ２Ｘ機能および上記ｅＮｏｄｅＢと通信する路側ユニット（ＲＳＵ）に転送するために処理するように構成されている。
【００９０】
例６は、例１に係る装置を含み、さらに、上記Ｖ２Ｘメッセージのインターネットプロトコル（ＩＰ）アドレスに従い、上記Ｖ２Ｘメッセージは、上記Ｖ２Ｘ機能に転送されるべきであること、または、セル内でブロードキャストされるべきであることを判断する、および／または、セル内でマルチキャスト若しくはユニキャストする、ように構成されており、および／または、上記ｅＮＢは、上記Ｖ２Ｘメッセージのソースの位置および目標とする車両に従い、上記Ｖ２Ｘメッセージを識別された車両に送信してよい。
【００９１】
例７は、例１または６に係る装置を含み、さらに、上記Ｖ２Ｘ機能から受信される、アプリケーションサーバのインターネットプロトコル（ＩＰ）アドレスを有する上記Ｖ２Ｘメッセージを処理するように構成されている。
【００９２】
例８は、例１に係る装置を含み、さらに、上記Ｖ２Ｘ機能が、アプリケーションサーバのインターネットプロトコル（ＩＰ）アドレスを追加できるように、上記Ｖ２Ｘメッセージを、上記Ｖ２Ｘインタフェースを介して、上記Ｖ２Ｘ機能に転送するように構成されている。
【００９３】
例９は、例８に係る装置を含み、さらに、上記Ｖ２Ｘインタフェースを介して上記Ｖ２Ｘ機能から受信される、上記アプリケーションサーバの上記ＩＰアドレスを有する上記Ｖ２Ｘメッセージを処理するように構成されている。
【００９４】
例１０は、例１または９に係る装置を含み、さらに、上記アプリケーションサーバの上記ＩＰアドレスを有する上記Ｖ２Ｘメッセージを、ＩＰトンネル経由で、選択されたパケットデータネットワーク（ＰＤＮ）ゲートウェイに転送するために処理するように構成されている。
【００９５】
例１１は、例１に係る装置を含み、さらに、上記Ｖ２Ｘ識別情報に従い、上記Ｖ２Ｘメッセージは、Ｖ２Ｘセーフティメッセージであることを判断する、上記セーフティＶ２Ｘメッセージをセルにブロードキャストする、上記セーフティＶ２Ｘメッセージをセルにユニキャストする、または、上記セーフティＶ２Ｘメッセージをセルにマルチキャストする、ように構成されている。
【００９６】
例１２は、例１または１１に係る装置を含み、さらに、インターネットプロトコル（ＩＰ）アドレスを、進化型パケットサービス（ＥＰＳ）ベアラまたはセルのいずれかにマッピングするパケットフィルタを使用するように構成されている。
【００９７】
例１３は、例１に係る装置を含み、上記Ｖ２Ｘ識別情報は、ＭＡＣヘッダ内、ＲＬＣヘッダ内、またはパケットデータ収束プロトコル（ＰＤＣＰ）ヘッダ内に含まれる。
【００９８】
例１４は、例１または１３に係る装置を含み、上記ＶＥＨＩＣＬＥ‐ＴＯ‐ＡＮＹＴＨＩＮＧ（Ｖ２Ｘ）通信は、車車間通信、車人間通信、または車ネットワーク間通信である。
【００９９】
例１５は、例１に係る装置を含み、上記装置は、アンテナ、タッチセンサ式ディスプレイ画面、スピーカ、マイク、グラフィックプロセッサ、アプリケーションプロセッサ、ベースバンドプロセッサ、内蔵メモリ、不揮発性メモリポート、およびこれらの組み合わせのうちの少なくとも１つを含む。
【０１００】
例１６は、１または複数のプロセッサおよびメモリを備える、無線通信ネットワーク内のＶＥＨＩＣＬＥ‐ＴＯ‐ＡＮＹＴＨＩＮＧ（Ｖ２Ｘ）通信をサポートする路側ユニット（ＲＳＵ）の装置を含み、上記１または複数のプロセッサおよびメモリは、ユーザ機器（ＵＥ）から送信されるデータパケットをＶ２Ｘメッセージとして識別し、上記Ｖ２Ｘメッセージは、セル内でブロードキャストされるべきであること、またはＶ２Ｘインタフェースを介して、Ｖ２Ｘ機能に転送されるべきであることを判断し、上記Ｖ２Ｘメッセージを、Ｖ２Ｘインタフェースを介して、上記Ｖ２Ｘ機能に直接送信するために処理する、または上記Ｖ２Ｘメッセージを上記セルにマルチキャスト、ユニキャスト若しくはブロードキャストする、ように構成されている。
【０１０１】
例１７は、例１６に係る装置を含み、さらに、上記Ｖ２Ｘメッセージの宛先のインターネットプロトコル（ＩＰ）アドレスを識別するように構成されている。
【０１０２】
例１８は、例１６または１７に係る装置を含み、さらに、上記Ｖ２ＸメッセージはＶ２Ｘセーフティメッセージであることを判断するように構成されている。
【０１０３】
例１９は、例１８に係る装置を含み、さらに、上記Ｖ２Ｘ識別情報が、上記Ｖ２Ｘメッセージ内に格納されていることを識別し、上記Ｖ２Ｘメッセージ内の上記Ｖ２Ｘ識別情報に従い、上記Ｖ２Ｘメッセージは、上記Ｖ２Ｘセーフティメッセージであることを判断し、および、上記Ｖ２Ｘセーフティメッセージをセル内でブロードキャストする、上記Ｖ２Ｘセーフティメッセージをセルにユニキャストする、若しくは、上記Ｖ２Ｘセーフティメッセージをセルにマルチキャストする、ように構成されている。
【０１０４】
例２０は、例１６または１９に係る装置を含み、さらに、上記Ｖ２Ｘ識別情報を読み取るように構成されている。
【０１０５】
例２１は、例１６の装置を含み、上記ＲＳＵは、ｅＮｏｄｅＢであり、上記ＲＳＵは、複数のｅＮｏｄｅＢ間で共有され、または、上記ＲＳＵは、１または複数のｅＮｏｄｅＢ間で共有される複数の仮想ＲＳＵプールの仮想コンピューティングインスタンスである。
【０１０６】
例２２は、例１６または２１に係る装置を含み、上記ＲＳＵは、上記Ｖ２Ｘ機能と一対多の関係性を有する。
【０１０７】
例２３は、例１６に係る装置を含み、さらに、上記Ｖ２Ｘメッセージを、上記Ｖ２Ｘ機能および上記ｅＮｏｄｅＢと通信する路側ユニット（ＲＳＵ）に転送するために処理するように構成されている。
【０１０８】
例２４は、例１６に係る装置を含み、さらに、上記Ｖ２Ｘメッセージのインターネットプロトコル（ＩＰ）アドレスに従い、上記Ｖ２Ｘメッセージは、上記Ｖ２Ｘ機能に転送されるべきであること、または、上記Ｖ２Ｘメッセージは、セル内でブロードキャストされるべきであること、を判断するように構成されている。
【０１０９】
例２５は、例１６または２４に係る装置を含み、さらに、上記Ｖ２Ｘ機能から受信される、アプリケーションサーバのインターネットプロトコル（ＩＰ）アドレスを有する上記Ｖ２Ｘメッセージを処理する、上記Ｖ２Ｘ機能が、アプリケーションサーバのインターネットプロトコル（ＩＰ）アドレスを追加できるように、上記Ｖ２Ｘメッセージを、上記Ｖ２Ｘインタフェースを介して、上記Ｖ２Ｘ機能に転送するために処理する、または、上記Ｖ２Ｘインタフェースを介して上記Ｖ２Ｘ機能から受信される、上記アプリケーションサーバの上記ＩＰアドレスを有する上記Ｖ２Ｘメッセージを処理する、ように構成されている。
【０１１０】
例２６は、例１６の装置を含み、さらに、上記アプリケーションサーバの上記ＩＰアドレスを有する上記Ｖ２Ｘメッセージを、ＩＰトンネル経由で、選択されたパケットデータネットワーク（ＰＤＮ）ゲートウェイに転送するために処理するように構成されている。
【０１１１】
例２７は、例１６または２６に係る装置を含み、上記Ｖ２Ｘ識別情報は、ＭＡＣヘッダ内、ＲＬＣヘッダ内、またはパケットデータ収束プロトコル（ＰＤＣＰ）ヘッダ内に含まれる。
【０１１２】
例２８は、１または複数のプロセッサおよびメモリを備える、無線通信ネットワーク内のＶＥＨＩＣＬＥ‐ＴＯ‐ＡＮＹＴＨＩＮＧ（Ｖ２Ｘ）機能を含み、上記１または複数のプロセッサおよびメモリは、Ｖ２Ｘインタフェースを介して、ｅＮｏｄｅＢから直接受信されるＶ２Ｘ識別情報を含むＶ２Ｘメッセージを処理し、Ｖ２Ｘアプリケーションサーバのインターネットプロトコル（ＩＰ）アドレスを追加し、上記Ｖ２Ｘメッセージが上記Ｖ２Ｘアプリケーションサーバに送信されることを可能にすべく、上記Ｖ２Ｘメッセージを、上記ｅＮｏｄｅＢに送信するために処理する、ように構成されている。
【０１１３】
例２９は、例２８に係る上記Ｖ２Ｘ機能を含み、上記１または複数のプロセッサおよびメモリは、さらに、上記Ｖ２ＸメッセージがＶ２Ｘセーフティメッセージであることを判断するように構成されている。
【０１１４】
例３０は、無線通信ネットワーク内のＶＥＨＩＣＬＥ‐ＴＯ‐ＡＮＹＴＨＩＮＧ（Ｖ２Ｘ）通信を実行するために具現化された命令を備える少なくとも１つの機械可読記録媒体であって、上記命令は、１または複数のプロセッサおよびメモリによって実行されると、ユーザ機器（ＵＥ）から受信されるＶ２Ｘ識別情報を含むデータパケットを処理する、上記Ｖ２Ｘ識別情報に従い、上記データパケットをＶ２Ｘメッセージとして識別する、上記Ｖ２Ｘメッセージは、セル内でマルチキャストされる、ユニキャストされる若しくはブロードキャストされるべきであること、または、上記Ｖ２Ｘメッセージは、Ｖ２Ｘインタフェースを介して、Ｖ２Ｘ機能に転送されるべきであることを判断する、および、上記Ｖ２Ｘメッセージを、Ｖ２Ｘインタフェースを介して、上記Ｖ２Ｘ機能に直接送信するために処理する、または、上記Ｖ２Ｘメッセージの上記セルへのマルチキャスト、ユニキャスト若しくはブロードキャストのうちの１つを実行する、ことを実行する。
【０１１５】
例３１は、例３０の少なくとも１つの機械可読記録媒体を含み、さらに、実行時、デバイスツーデバイス（Ｄ２Ｄ）チャネル経由で、上記ＵＥから受信される上記データパケットを処理する命令を備える。
【０１１６】
例３２は、１または複数のプロセッサおよびメモリを備える、無線通信ネットワーク内のＶＥＨＩＣＬＥ‐ＴＯ‐ＡＮＹＴＨＩＮＧ（Ｖ２Ｘ）通信をサポートするように動作可能なｅＮｏｄｅＢの装置を含み、上記１または複数のプロセッサおよびメモリは、ユーザ機器（ＵＥ）から受信されるＶ２Ｘ識別情報を含むデータパケット処理し、上記Ｖ２Ｘ識別情報に従い、上記データパケットをＶ２Ｘメッセージとして識別し、上記Ｖ２Ｘメッセージが、Ｖ２Ｘ機能に転送されるべきであることを判断し、および、上記Ｖ２Ｘメッセージを、Ｖ２Ｘインタフェースを介して、上記Ｖ２Ｘ機能に直接送信するために処理する、またはセルラインタフェース経由で上記データパケットを受信する、ように構成されている。
【０１１７】
例３３は、例３２に係る装置を含み、さらに、デバイスツーデバイス（Ｄ２Ｄ）チャネル経由で、上記ＵＥから受信される上記データパケットを処理するように構成されている。
【０１１８】
例３４は、１または複数のプロセッサおよびメモリを備える、無線通信ネットワーク内のＶＥＨＩＣＬＥ‐ＴＯ‐ＡＮＹＴＨＩＮＧ（Ｖ２Ｘ）通信をサポートするように動作可能なｅＮｏｄｅＢの装置を含み、上記１または複数のプロセッサおよびメモリは、ユーザ機器（ＵＥ）から受信されるＶ２Ｘ識別情報を含むデータパケット処理し、上記Ｖ２Ｘ識別情報に従い、上記データパケットをＶ２Ｘメッセージとして識別し、上記Ｖ２Ｘメッセージが、Ｖ２Ｘ機能に転送されるべきであることを判断し、上記Ｖ２Ｘメッセージを、Ｖ２Ｘインタフェースを介して、上記Ｖ２Ｘ機能に直接送信するために処理する、またはセルラインタフェース経由で上記データパケットを受信する、ように構成されている。
【０１１９】
例３５は、例３４に係る装置を含み、さらに、デバイスツーデバイス（Ｄ２Ｄ）チャネル経由で、上記ＵＥから受信される上記データパケットを処理するように構成されている。
【０１２０】
例３６は、例３４に係る装置を含み、上記ｅＮｏｄｅＢは、路側ユニット（ＲＳＵ）である。
【０１２１】
例３７は、例３４に係る装置を含み、上記ｅＮｏｄｅＢは、少なくとも１つの代替的なｅＮｏｄｅＢと路側ユニット（ＲＳＵ）を共有する。
【０１２２】
例３８は、例３４に係る装置を含み、さらに、上記Ｖ２Ｘメッセージを、上記Ｖ２Ｘ機能および上記ｅＮｏｄｅＢと通信する路側ユニット（ＲＳＵ）に転送するために処理するように構成されている。
【０１２３】
例３９は、例３４に係る装置を含み、さらに、上記Ｖ２Ｘメッセージのインターネットプロトコル（ＩＰ）アドレスに従い、上記Ｖ２Ｘメッセージは、上記Ｖ２Ｘ機能に転送されるべきであること、または、上記Ｖ２Ｘメッセージは、セル内でブロードキャストされるべきであること、を判断するように構成されている。
【０１２４】
例４０は、例３４に係る装置を含み、さらに、上記Ｖ２Ｘ機能から受信される、アプリケーションサーバのインターネットプロトコル（ＩＰ）アドレスを有する上記Ｖ２Ｘメッセージを処理するように構成されている。
【０１２５】
例４１は、例３４に係る装置を含み、さらに、上記Ｖ２Ｘ機能が、アプリケーションサーバのインターネットプロトコル（ＩＰ）アドレスを追加できるように、上記Ｖ２Ｘメッセージを、上記Ｖ２Ｘインタフェースを介して、上記Ｖ２Ｘ機能に転送するために処理するように構成されている。
【０１２６】
例４２は、例４１に係る装置を含み、さらに、上記Ｖ２Ｘインタフェースを介して上記Ｖ２Ｘ機能から受信される、上記アプリケーションサーバの上記ＩＰアドレスを有する上記Ｖ２Ｘメッセージを処理するように構成されている。
【０１２７】
例４３は、例４２の装置を含み、さらに、上記アプリケーションサーバの上記ＩＰアドレスを有する上記Ｖ２Ｘメッセージを、ＩＰトンネル経由で、選択されたパケットデータネットワーク（ＰＤＮ）ゲートウェイに転送するために処理するように構成されている。
【０１２８】
例４４は、例３４係る装置を含み、さらに、上記Ｖ２Ｘ識別情報に従い、上記Ｖ２Ｘメッセージは、Ｖ２Ｘセーフティメッセージであることを判断する、上記セーフティＶ２Ｘメッセージをセルにブロードキャストする、上記セーフティＶ２Ｘメッセージをセルにユニキャストする、または、上記セーフティＶ２Ｘメッセージをセルにマルチキャストする、ように構成されている。
【０１２９】
例４５は、例３４に係る装置を含み、さらに、インターネットプロトコル（ＩＰ）アドレスを、進化型パケットサービス（ＥＰＳ）ベアラまたはセルのいずれかにマッピングするパケットフィルタを使用するように構成されている。
【０１３０】
例４６は、例３４に係る装置を含み、上記Ｖ２Ｘ識別情報は、ＭＡＣヘッダ内、ＲＬＣヘッダ内、またはパケットデータ収束プロトコル（ＰＤＣＰ）ヘッダ内に含まれる。
【０１３１】
例４７は、例３４に係る装置を含み、上記ＶＥＨＩＣＬＥ‐ＴＯ‐ＡＮＹＴＨＩＮＧ（Ｖ２Ｘ）通信は、車車間通信、車人間通信、または車ネットワーク間通信である。
【０１３２】
例４８は、例３４に係る装置を含み、上記装置は、アンテナ、タッチセンサ式ディスプレイ画面、スピーカ、マイク、グラフィックプロセッサ、アプリケーションプロセッサ、ベースバンドプロセッサ、内蔵メモリ、不揮発性メモリポート、およびこれらの組み合わせのうちの少なくとも１つを含む。
【０１３３】
例４９は、１または複数のプロセッサおよびメモリを備える、無線通信ネットワーク内のＶＥＨＩＣＬＥ‐ＴＯ‐ＡＮＹＴＨＩＮＧ（Ｖ２Ｘ）通信をサポートする路側ユニット（ＲＳＵ）の装置を含み、上記１または複数のプロセッサおよびメモリは、ユーザ機器（ＵＥ）から送信されるデータパケットをＶ２Ｘメッセージとして識別し、上記Ｖ２Ｘメッセージは、セル内でブロードキャストされるべきであること、またはＶ２Ｘインタフェースを介して、Ｖ２Ｘ機能に転送されるべきであることを判断し、上記Ｖ２Ｘメッセージを、Ｖ２Ｘインタフェースを介して、上記Ｖ２Ｘ機能に直接送信するために処理する、または上記Ｖ２Ｘメッセージを上記セルにマルチキャスト、ユニキャスト若しくはブロードキャストする、ように構成されている。
【０１３４】
例５０は、例４９に係る装置を含み、さらに、上記Ｖ２Ｘメッセージの宛先のインターネットプロトコル（ＩＰ）アドレスを識別するように構成されている。
【０１３５】
例５１は、例５０に係る装置を含み、さらに、上記Ｖ２Ｘメッセージは、Ｖ２Ｘセーフティメッセージであることを判断するように構成されている。
【０１３６】
例５２は、例５１に係る装置を含み、さらに、上記Ｖ２Ｘ識別情報が、上記Ｖ２Ｘメッセージ内に格納されていることを識別する、上記Ｖ２Ｘメッセージ内の上記Ｖ２Ｘ識別情報に従い、上記Ｖ２Ｘメッセージは、上記Ｖ２Ｘセーフティメッセージであることを判断する、上記Ｖ２Ｘセーフティメッセージをセル内の各ＵＥにブロードキャストする、ように構成されている。
【０１３７】
例５３は、例４９に係る装置を含み、さらに、上記Ｖ２Ｘ識別情報を読み取るように構成されている。
【０１３８】
例５４は、例４９に係る装置を含み、上記ＲＳＵは、ｅＮｏｄｅＢであり、上記ＲＳＵは、複数のｅＮｏｄｅＢ間で共有され、または、上記ＲＳＵは、１または複数のｅＮｏｄｅＢ間で共有される複数の仮想ＲＳＵプールの仮想コンピューティングインスタンスである。
【０１３９】
例５５は、例５４に係る装置を含み、上記ＲＳＵは、上記Ｖ２Ｘ機能と一対多の関係性を有する。
【０１４０】
例５６は、例４９に係る装置を含み、さらに、上記Ｖ２Ｘメッセージを、上記Ｖ２Ｘ機能および上記ｅＮｏｄｅＢと通信する路側ユニット（ＲＳＵ）に転送するために処理するように構成されている。
【０１４１】
例５７は、例４８に係る装置を含み、さらに、上記Ｖ２Ｘメッセージのインターネットプロトコル（ＩＰ）アドレスに従い、上記Ｖ２Ｘメッセージは、上記Ｖ２Ｘ機能に転送されるべきであること、または、上記Ｖ２Ｘメッセージは、セル内でブロードキャストされるべきであること、を判断するように構成されている。
【０１４２】
例５８は、例５７に係る装置を含み、さらに、上記Ｖ２Ｘ機能から受信される、アプリケーションサーバのインターネットプロトコル（ＩＰ）アドレスを有する上記Ｖ２Ｘメッセージを処理する、上記Ｖ２Ｘ機能が、アプリケーションサーバのインターネットプロトコル（ＩＰ）アドレスを追加できるように、上記Ｖ２Ｘメッセージを、上記Ｖ２Ｘインタフェースを介して、上記Ｖ２Ｘ機能に転送するために処理する、または、上記Ｖ２Ｘインタフェースを介して上記Ｖ２Ｘ機能から受信される、上記アプリケーションサーバの上記ＩＰアドレスを有する上記Ｖ２Ｘメッセージを処理する、ように構成されている。
【０１４３】
例５９は、例４９に係る装置を含み、さらに、上記アプリケーションサーバの上記ＩＰアドレスを有する上記Ｖ２Ｘメッセージを、ＩＰトンネル経由で、選択されたパケットデータネットワーク（ＰＤＮ）ゲートウェイに転送するために処理するように構成されている。
【０１４４】
例６０は、例５９に係る装置を含み、上記Ｖ２Ｘ識別情報は、ＭＡＣヘッダ内、ＲＬＣヘッダ内、またはパケットデータ収束プロトコル（ＰＤＣＰ）ヘッダ内に含まれる。
【０１４５】
例６１は、１または複数のプロセッサおよびメモリを備える、無線通信ネットワーク内のＶＥＨＩＣＬＥ‐ＴＯ‐ＡＮＹＴＨＩＮＧ（Ｖ２Ｘ）機能を含み、上記１または複数のプロセッサおよびメモリは、Ｖ２Ｘインタフェースを介して、ｅＮｏｄｅＢから直接受信されるＶ２Ｘ識別情報を含むＶ２Ｘメッセージを処理し、Ｖ２Ｘアプリケーションサーバのインターネットプロトコル（ＩＰ）アドレスを追加し、上記Ｖ２Ｘメッセージが上記Ｖ２Ｘアプリケーションサーバに送信されることを可能にすべく、上記Ｖ２Ｘメッセージを、上記ｅＮｏｄｅＢに送信するために処理する、ように構成されている。
【０１４６】
例６２は、例６１に係る上記Ｖ２Ｘを含み、上記１または複数のプロセッサおよびメモリは、さらに、上記Ｖ２ＸメッセージがＶ２Ｘセーフティメッセージであることを判断するように構成されている。
【０１４７】
例６３は、無線通信ネットワーク内のＶＥＨＩＣＬＥ‐ＴＯ‐ＡＮＹＴＨＩＮＧ（Ｖ２Ｘ）通信を実行するために具現化された命令を備える１または複数の一時的または非一時的機械可読記録媒体を含み、上記命令は、１または複数のプロセッサおよびメモリによって実行されると、ユーザ機器（ＵＥ）から受信されるＶ２Ｘ識別情報を含むデータパケットを処理する、上記Ｖ２Ｘ識別情報に従い、上記データパケットをＶ２Ｘメッセージとして識別する、上記Ｖ２Ｘメッセージは、セル内でマルチキャストされる、ユニキャストされる若しくはブロードキャストされるべきであること、または、上記Ｖ２Ｘメッセージは、Ｖ２Ｘインタフェースを介して、Ｖ２Ｘ機能に転送されるべきであることを判断する、および、上記Ｖ２Ｘメッセージを、Ｖ２Ｘインタフェースを介して、上記Ｖ２Ｘ機能に直接送信するために処理する、または、マルチキャスト、ユニキャストする、および／または上記Ｖ２Ｘメッセージを上記セルへマルチキャスト、ユニキャスト若しくはブロードキャストする、ことを実行する。
【０１４８】
例６４は、例６３に係る１または複数の一時的または非一時的機械可読記録媒体を含み、さらに、実行時、デバイスツーデバイス（Ｄ２Ｄ）チャネル経由で、上記ＵＥから受信される上記データパケットを処理する命令を備える。
【０１４９】
例６５は、１または複数のプロセッサおよびメモリを備える、無線通信ネットワーク内のＶＥＨＩＣＬＥ‐ＴＯ‐ＡＮＹＴＨＩＮＧ（Ｖ２Ｘ）通信をサポートするように動作可能なｅＮｏｄｅＢの装置を含み、上記１または複数のプロセッサおよびメモリは、ユーザ機器（ＵＥ）から受信されるＶ２Ｘ識別情報を含むデータパケットを処理し、上記Ｖ２Ｘ識別情報に従い、上記データパケットをＶ２Ｘメッセージとして識別し、上記Ｖ２Ｘメッセージは、Ｖ２Ｘ機能に転送されるべきであることを判断し、上記Ｖ２Ｘメッセージを、Ｖ２Ｘインタフェースを介して、上記Ｖ２Ｘ機能に直接送信するために処理するように構成されている。
【０１５０】
例６６は、例６５に係る装置を含み、さらに、デバイスツーデバイス（Ｄ２Ｄ）チャネル経由で、上記ＵＥから受信される上記データパケットを処理するように構成されている。
【０１５１】
例６７は、１または複数のプロセッサおよびメモリを備える、無線通信ネットワーク内のＶＥＨＩＣＬＥ‐ＴＯ‐ＡＮＹＴＨＩＮＧ（Ｖ２Ｘ）通信をサポートするように動作可能なｅＮｏｄｅＢの装置を含み、上記１または複数のプロセッサおよびメモリは、ユーザ機器（ＵＥ）から受信されるＶ２Ｘ識別情報を含むデータパケットを処理し、上記Ｖ２Ｘ識別情報に従い、上記データパケットをＶ２Ｘメッセージとして識別し、上記Ｖ２Ｘメッセージは、Ｖ２Ｘ機能に転送されるべきであることを判断し、上記Ｖ２Ｘメッセージを、Ｖ２Ｘインタフェースを介して、上記Ｖ２Ｘ機能に直接送信するために処理する、ように構成されている。
【０１５２】
例６８は、例６７に係る装置を含み、さらに、デバイスツーデバイス（Ｄ２Ｄ）チャネル経由で上記ＵＥから受信される上記データパケットを処理し、上記Ｖ２Ｘメッセージのインターネットプロトコル（ＩＰ）アドレスに従い、上記Ｖ２Ｘメッセージは、上記Ｖ２Ｘ機能に転送されるべきであること、または上記Ｖ２Ｘメッセージは、セル内でブロードキャストされるべきであることを判断する、上記Ｖ２Ｘメッセージを、上記Ｖ２Ｘ機能および上記ｅＮｏｄｅＢと通信する路側ユニット（ＲＳＵ）に転送するために処理する、上記Ｖ２Ｘ機能から受信される、アプリケーションサーバのインターネットプロトコル（ＩＰ）アドレスを有する上記Ｖ２Ｘメッセージを処理する、または、上記Ｖ２Ｘ機能が、アプリケーションサーバのインターネットプロトコル（ＩＰ）アドレスを追加できるように、上記Ｖ２Ｘメッセージを、上記Ｖ２Ｘインタフェースを介して、上記Ｖ２Ｘ機能に転送するために処理する、ように構成されている。
【０１５３】
例６９は、例６７または６８に係る装置を含み、上記ｅＮｏｄｅＢは、路側ユニット（ＲＳＵ）であり、または、上記ｅＮｏｄｅＢは、少なくとも１つの代替的なｅＮｏｄｅＢと路側ユニット（ＲＳＵ）を共有する。
【０１５４】
例７０において、例６７または本明細書に記載の例のいずれかに係る主題は、さらに、上記Ｖ２Ｘインタフェースを介して、上記Ｖ２Ｘ機能から受信される、上記アプリケーションサーバの上記ＩＰアドレスを有する上記Ｖ２Ｘメッセージを処理する、上記アプリケーションサーバの上記ＩＰアドレスを有する上記Ｖ２Ｘメッセージを、ＩＰトンネル経由で、選択されたパケットデータネットワーク（ＰＤＮ）ゲートウェイに転送するために処理する、またはインターネットプロトコル（ＩＰ）アドレスを進化型パケットサービス（ＥＰＳ）ベアラ若しくはセルのいずれかへマッピングするパケットフィルタを使用する、ように構成されてよい。
【０１５５】
例７１において、例６７または本明細書に記載の例のいずれかに係る主題は、さらに、上記Ｖ２Ｘ識別情報に従い、上記Ｖ２ＸメッセージはＶ２Ｘセーフティメッセージであることを判断する、または上記セーフティＶ２Ｘメッセージを上記セルにマルチキャスト、ユニキャスト、若しくはブロードキャストする、ように構成されてよい。
【０１５６】
例７２において、例６７または本明細書に記載の例のいずれかに係る主題は、さらに、上記Ｖ２Ｘ識別情報は、ＭＡＣヘッダ内、ＲＬＣヘッダ内、またはパケットデータ収束プロトコル（ＰＤＣＰ）ヘッダ内に含まれる、ことを含んでよい。
【０１５７】
例７３において、例６７または本明細書に記載の例のいずれかに係る主題は、さらに、上記ＶＥＨＩＣＬＥ‐ＴＯ‐ＡＮＹＴＨＩＮＧ（Ｖ２Ｘ）通信は、車車間通信、車人間通信、または車ネットワーク間通信である、ことを含んでよい。
【０１５８】
例７４において、例６７または本明細書に記載の例のいずれかに係る主題は、さらに、上記装置は、アンテナ、タッチセンサ式ディスプレイ画面、スピーカ、マイク、グラフィックプロセッサ、アプリケーションプロセッサ、ベースバンドプロセッサ、内蔵メモリ、不揮発性メモリポート、およびこれらの組み合わせのうちの少なくとも１つを含む、ことを含んでよい。
【０１５９】
例７５は、１または複数のプロセッサおよびメモリを備える、無線通信ネットワーク内のＶＥＨＩＣＬＥ‐ＴＯ‐ＡＮＹＴＨＩＮＧ（Ｖ２Ｘ）通信をサポートする路側ユニット（ＲＳＵ）の装置を含み、上記１または複数のプロセッサおよびメモリは、ユーザ機器（ＵＥ）から送信されるデータパケットをＶ２Ｘメッセージとして識別し、上記Ｖ２Ｘメッセージは、セル内でブロードキャストされるべきであること、またはＶ２Ｘインタフェースを介して、Ｖ２Ｘ機能に転送されるべきであることを判断し、上記Ｖ２Ｘメッセージを、Ｖ２Ｘインタフェースを介して、上記Ｖ２Ｘ機能に直接送信するために処理する、および／または上記Ｖ２Ｘメッセージを上記セルにマルチキャスト、ユニキャストおよび／またはブロードキャストする、ように構成されている。
【０１６０】
例７６は、例７５に係る装置を含み、さらに、上記Ｖ２Ｘメッセージの宛先のインターネットプロトコル（ＩＰ）アドレスを識別する、上記Ｖ２Ｘメッセージは、Ｖ２Ｘセーフティメッセージであることを判断する、上記Ｖ２Ｘ識別情報は上記Ｖ２Ｘメッセージ内に格納されていることを識別する、上記Ｖ２Ｘメッセージ内の上記Ｖ２Ｘ識別情報に従い、上記Ｖ２Ｘメッセージは上記Ｖ２Ｘセーフティメッセージであることを判断する、上記Ｖ２Ｘセーフティメッセージを上記セル内の各ＵＥに、ブロードキャスト、ユニキャスト、マルチキャストする、または、上記Ｖ２Ｘ識別情報を読み取る、ように構成されており、上記Ｖ２Ｘ識別情報は、ＭＡＣヘッダ内、ＲＬＣヘッダ内若しくはパケットデータ収束プロトコル（ＰＤＣＰ）ヘッダ内に含まれる。
【０１６１】
例７７は、例７５または７６に係る装置を含み、上記ＲＳＵは、上記Ｖ２Ｘ機能との間に一対多の関係性を有し、ここにおいて、上記ＲＳＵは、ｅＮｏｄｅＢである、上記ＲＳＵは、複数のｅＮｏｄｅＢ間で共有される、または上記ＲＳＵは、１または複数のｅＮｏｄｅＢ間で共有される複数の仮想ＲＳＵプールの仮想コンピューティングインスタンスである。
【０１６２】
例７８において、例７５または本明細書に記載の例のいずれかに係る主題は、さらに、上記Ｖ２Ｘメッセージを、上記Ｖ２Ｘ機能および上記ｅＮｏｄｅＢと通信する路側ユニット（ＲＳＵ）に転送するために処理する、上記Ｖ２Ｘメッセージのインターネットプロトコル（ＩＰ）アドレスに従い、上記Ｖ２Ｘメッセージは、上記Ｖ２Ｘ機能に転送されるべきであること、または上記Ｖ２Ｘメッセージは、セル内でブロードキャストされるべきであることを判断する、上記Ｖ２Ｘ機能から受信される、アプリケーションサーバのインターネットプロトコル（ＩＰ）アドレスを有する上記Ｖ２Ｘメッセージを処理する、上記Ｖ２Ｘ機能が、アプリケーションサーバのインターネットプロトコル（ＩＰ）アドレスを追加できるように、上記Ｖ２Ｘメッセージを、上記Ｖ２Ｘインタフェースを介して、上記Ｖ２Ｘ機能に転送するために処理する、上記Ｖ２Ｘインタフェースを介して、上記Ｖ２Ｘ機能から受信される、上記アプリケーションサーバの上記ＩＰアドレスを有する上記Ｖ２Ｘメッセージを処理する、または、上記アプリケーションサーバの上記ＩＰアドレスを有する上記Ｖ２Ｘメッセージを、ＩＰトンネル経由で、選択されたパケットデータネットワーク（ＰＤＮ）ゲートウェイに転送するために処理する、ように構成されてよい。
【０１６３】
例７９は、１または複数のプロセッサおよびメモリを備える、無線通信ネットワーク内のＶＥＨＩＣＬＥ‐ＴＯ‐ＡＮＹＴＨＩＮＧ（Ｖ２Ｘ）機能を含み、上記１または複数のプロセッサおよびメモリは、Ｖ２Ｘインタフェースを介して、ｅＮｏｄｅＢから直接受信されるＶ２Ｘ識別情報を含むＶ２Ｘメッセージを処理し、Ｖ２Ｘアプリケーションサーバのインターネットプロトコル（ＩＰ）アドレスを追加し、上記Ｖ２Ｘメッセージが上記Ｖ２Ｘアプリケーションサーバに送信されることを可能にすべく、上記Ｖ２Ｘメッセージを、上記ｅＮｏｄｅＢに送信するために処理する、ように構成されている。
【０１６４】
例８０は、例７９に係るＶ２Ｘ機能を含み、上記１または複数のプロセッサおよびメモリは、さらに、上記Ｖ２ＸメッセージはＶ２Ｘセーフティメッセージであることを判断するように構成されている。
【０１６５】
例８１は、無線通信ネットワーク内のＶＥＨＩＣＬＥ‐ＴＯ‐ＡＮＹＴＨＩＮＧ（Ｖ２Ｘ）通信を実行するために具現化された命令を備える１または複数の一時的または非一時的機械可読記録媒体を含み、上記命令は、１または複数のプロセッサおよびメモリによって実行されると、ユーザ機器（ＵＥ）から受信されるＶ２Ｘ識別情報を含むデータパケットを処理する、上記Ｖ２Ｘ識別情報に従い、上記データパケットをＶ２Ｘメッセージとして識別する、上記Ｖ２Ｘメッセージは、セル内でマルチキャストされる、ユニキャストされる若しくはブロードキャストされるべきであること、または、上記Ｖ２Ｘメッセージは、Ｖ２Ｘインタフェースを介して、Ｖ２Ｘ機能に転送されるべきであることを判断する、上記Ｖ２Ｘメッセージを、Ｖ２Ｘインタフェースを介して、上記Ｖ２Ｘ機能に直接送信するために処理する、若しくは、上記Ｖ２Ｘメッセージを上記セルへブロードキャストする、ことを実行する。
【０１６６】
例８２は、無線通信ネットワーク内のＶＥＨＩＣＬＥ‐ＴＯ‐ＡＮＹＴＨＩＮＧ（Ｖ２Ｘ）通信を実行するためのデバイスを含み、上記デバイスは、ユーザ機器（ＵＥ）から受信されるＶ２Ｘ識別情報を含むデータパケットを処理するための手段と、上記Ｖ２Ｘ識別情報に従い、上記データパケットをＶ２Ｘメッセージとして識別するための手段と、上記Ｖ２Ｘメッセージはセル内でマルチキャスト、ユニキャスト若しくはブロードキャストされるべきであること、または上記Ｖ２Ｘメッセージは、Ｖ２Ｘインタフェースを介して、Ｖ２Ｘ機能に転送されるべきであることを判断するための手段と、上記Ｖ２Ｘメッセージを、Ｖ２Ｘインタフェースを介して、上記Ｖ２Ｘ機能に直接送信するための、または上記Ｖ２Ｘメッセージを上記セルにブロードキャストするための手段と、を備える。
【０１６７】
例８３は、例８２に係るデバイスを含み、さらに、上記ＵＥから、デバイスツーデバイス（Ｄ２Ｄ）チャネル経由で、上記データパケットを受信するための、またはセルラインタフェース経由で、上記データパケットを受信するための手段を備える。
【０１６８】
本明細書で使用されるプロセッサという用語は、汎用プロセッサ、ＶＬＳＩ、ＦＰＧＡ等の特殊プロセッサ、または他のタイプの特殊プロセッサに加え、送受信機で無線通信を送信、受信および処理するために使用されるベースバンドプロセッサを含んでよい。
【０１６９】
本明細書に記載の多くの機能的ユニットは、それらの実装の独立性をより具体的に強調すべく、モジュールとして標記されることを理解されたい。例えば、モジュールは、カスタムの超大規模集積（ＶＬＳＩ）回路またはゲートアレイ、ロジックチップ、トランジスタ、または他の別個のコンポーネント等の既製の半導体を含むハードウェア回路として実装されてよい。また、モジュールは、フィールドプログラマブルゲートアレイ、プログラマブルアレイロジック、プログラマブルロジックデバイス等のプログラム可能なハードウェアデバイス内に実装されてもよい。
【０１７０】
また、モジュールは、様々なタイプのプロセッサによって実行されるソフトウェアに実装されてもよい。実行可能コードの特定のモジュールは、例えば、コンピュータ命令の１または複数の物理ブロックまたは論理ブロックを有してよく、それらは、例えば、オブジェクト、プロシージャ、または関数として編成されてよい。しかしながら、特定のモジュールに係る実行可能なものは、物理的に一緒に配置される必要はなく、異なる場所に格納された別個の命令を有してよく、当該場所は、当該命令が論理的に共に結合されると、モジュールを備え、且つモジュールの上記目的を達成する。
【０１７１】
実際、実行可能コードのモジュールは、単一の命令または多くの命令であってよく、さらに、当該モジュールはいくつかの異なるコードセグメントにわたり、異なるプログラムにわたり、いくつかのメモリデバイスにわたり、分散されてもよい。同様に、処理データは、本明細書ではモジュール内で特定され、示されてよく、任意の好適な形態に具現化されてよく、任意の好適なタイプのデータ構造内に編成されてよい。処理データは、単一のデータセットとして収集されてよく、または異なるストレージデバイスにわたることを含め、異なる場所に分散されてよく、単なる電子信号として少なくとも部分的にシステムまたはネットワーク上に存在してもよい。モジュールは、所望の機能を実行するように動作可能なエージェントを含め、パッシブまたはアクティブであってよい。
【０１７２】
本明細書にわたり「一例」または「例示的」という言及は、当該例に関し記載された特定の特徴、構造または特性が、本技術の少なくとも一実施形態に含まれることを意味する。故に、本明細書の随所に現れる「一例において」という文言または「例示的」という用語は、必ずしもすべてが同一の実施形態を指してはいない。
【０１７３】
本明細書で使用される複数のアイテム、構造的要素、組成的要素および／または材料が便宜上、共通のリストに提示されることがある。しかしながら、これらのリストは、あたかもリストの各部材が別個且つ一意の部材として個別に識別されるものとして解釈されるべきである。故に、このようなリストの個別の部材は、反対の記載がない限り、単に共通グループにそれらが提示されていることを以て、同リストの任意の他の部材の事実上の均等物として解釈されるべきではない。また、本明細書においては、本技術の様々な実施形態および例が、当該実施形態および例に係る様々なコンポーネントの代替物と共に言及されることがある。このような実施形態、例および代替物は、互いに対する事実上の均等物として解釈されるべきではなく、本技術の別個且つ自律的な表現であると解釈されるべきである。
【０１７４】
さらに、説明された特徴、構造または特性は、１または複数の実施形態において、任意の好適な態様で組み合わされてよい。以下の記載において、本技術の実施形態に係る完全な理解をもたらすべく、レイアウト、距離の例示、ネットワークの例示等といった多数の具体的な詳細が記載される。しかしながら、本技術は、当該具体的な内容のうちの１または複数を省いても、または他の方法、コンポーネント、レイアウト等と併せても実施可能であることは、当業者の理解するところである。他の例においては、本技術の態様を曖昧にするのを回避すべく、周知の構造、材料、または処理については、詳細には図示または説明していない。
【０１７５】
上記の例は、本技術の原理に係る１または複数の特定の用途における例示である一方、発明能力を発揮することなく、また本技術に係る原理および概念から逸脱することなく、形態、使用法、実装の詳細において多数の修正を加え得ることは、当業者に自明であろう。従って、以下の特許請求の範囲による場合を除き、本技術が限定されることは意図していない。
【図１】
2018523322.tif 000004
【図２】
2018523322.tif 000005
【図３】
2018523322.tif 000006
【図４】
2018523322.tif 000007
【図５】
2018523322.tif 000008
【図６】
2018523322.tif 000009
【図７】
2018523322.tif 000010
【図８】
2018523322.tif 000011
【図９】
2018523322.tif 000012
【図１０】
2018523322.tif 000013
【図１１】
2018523322.tif 000014
【図１２】
2018523322.tif 000015
【図１３】
2018523322.tif 000016
【図１４】
2018523322.tif 000017
【手続補正書】
【提出日】平成30年1月4日(2018.1.4)
【手続補正１】
【補正対象書類名】特許請求の範囲
【補正対象項目名】全文
【補正方法】変更
【補正の内容】
【特許請求の範囲】
【請求項１】
１または複数のプロセッサおよびメモリを備える、無線通信ネットワーク内のＶＥＨＩＣＬＥ‐ＴＯ‐ＡＮＹＴＨＩＮＧ（Ｖ２Ｘ）通信をサポートするｅＮｏｄｅＢの装置であって、
前記１または複数のプロセッサおよびメモリは、
ユーザ機器（ＵＥ）から受信されるＶ２Ｘ識別情報を含むデータパケットを処理し、
前記Ｖ２Ｘ識別情報に従い、前記データパケットをＶ２Ｘメッセージとして識別し、
前記Ｖ２Ｘメッセージは、Ｖ２Ｘ機能に転送されるべきであることを判断し、
前記Ｖ２Ｘメッセージを、Ｖ２Ｘインタフェースを介して、前記Ｖ２Ｘ機能に直接送信するために処理する、装置。
【請求項２】
さらに、前記ＵＥからデバイスツーデバイス（Ｄ２Ｄ）チャネル経由で受信される前記データパケットを処理する、または、セルラインタフェース経由で受信される前記データパケットを処理する、請求項１に記載の装置。
【請求項３】
前記ｅＮｏｄｅＢは、路側ユニット（ＲＳＵ）である、請求項１または２に記載の装置。
【請求項４】
前記ｅＮｏｄｅＢは、路側ユニット（ＲＳＵ）を少なくとも１つの代替的なｅＮｏｄｅＢと共有する、請求項１に記載の装置。
【請求項５】
さらに、前記Ｖ２Ｘメッセージを、前記Ｖ２Ｘ機能および前記ｅＮｏｄｅＢと通信する路側ユニット（ＲＳＵ）に転送するために処理する、請求項１から４のいずれか一項に記載の装置。
【請求項６】
さらに、前記Ｖ２Ｘメッセージのインターネットプロトコル（ＩＰ）アドレスに従い、前記Ｖ２Ｘメッセージは、前記Ｖ２Ｘ機能に転送されるべきであること、または、セル内でブロードキャストされるべきであること、を判断する、請求項１に記載の装置。
【請求項７】
さらに、前記Ｖ２Ｘ機能から受信される、アプリケーションサーバのインターネットプロトコル（ＩＰ）アドレスを有する前記Ｖ２Ｘメッセージを処理する、請求項１から６のいずれか一項に記載の装置。
【請求項８】
さらに、前記Ｖ２Ｘ機能が、アプリケーションサーバのインターネットプロトコル（ＩＰ）アドレスを追加できるように、前記Ｖ２Ｘメッセージを、前記Ｖ２Ｘインタフェースを介して、前記Ｖ２Ｘ機能に転送するために処理する、請求項１に記載の装置。
【請求項９】
さらに、前記Ｖ２Ｘインタフェースを介して前記Ｖ２Ｘ機能から受信される、前記アプリケーションサーバの前記ＩＰアドレスを有する前記Ｖ２Ｘメッセージを処理する、請求項８に記載の装置。
【請求項１０】
さらに、アプリケーションサーバのＩＰアドレスを有する前記Ｖ２Ｘメッセージを、ＩＰトンネル経由で、選択されたパケットデータネットワーク（ＰＤＮ）ゲートウェイに転送するために処理する、請求項１から９のいずれか一項に記載の装置。
【請求項１１】
さらに、
前記Ｖ２Ｘ識別情報に従い、前記Ｖ２Ｘメッセージは、Ｖ２Ｘセーフティメッセージであることを判断する、
前記Ｖ２Ｘセーフティメッセージをセルにブロードキャストする、
前記Ｖ２Ｘセーフティメッセージをセルにユニキャストする、または、
前記Ｖ２Ｘセーフティメッセージをセルにマルチキャストする、
請求項１に記載の装置。
【請求項１２】
さらに、インターネットプロトコル（ＩＰ）アドレスを、進化型パケットサービス（ＥＰＳ）ベアラまたはセルのいずれかにマッピングするパケットフィルタを使用する、請求項１から１１のいずれか一項に記載の装置。
【請求項１３】
前記Ｖ２Ｘ識別情報は、ＭＡＣヘッダ内、ＲＬＣヘッダ内、またはパケットデータ収束プロトコル（ＰＤＣＰ）ヘッダ内に含まれる、請求項１に記載の装置。
【請求項１４】
前記ＶＥＨＩＣＬＥ‐ＴＯ‐ＡＮＹＴＨＩＮＧ（Ｖ２Ｘ）通信は、車車間通信、車人間通信、または車ネットワーク間通信である、請求項１から１３のいずれか一項に記載の装置。
【請求項１５】
前記装置は、アンテナ、タッチセンサ式ディスプレイ画面、スピーカ、マイク、グラフィックプロセッサ、アプリケーションプロセッサ、ベースバンドプロセッサ、内蔵メモリ、不揮発性メモリポート、およびこれらの組み合わせのうちの少なくとも１つを含む、請求項１に記載の装置。
【請求項１６】
１または複数のプロセッサおよびメモリを備える、無線通信ネットワーク内のＶＥＨＩＣＬＥ‐ＴＯ‐ＡＮＹＴＨＩＮＧ（Ｖ２Ｘ）通信をサポートする路側ユニット（ＲＳＵ）の装置であって、
前記１または複数のプロセッサおよびメモリは、
ユーザ機器（ＵＥ）から送信されるデータパケットをＶ２Ｘメッセージとして識別し、
前記Ｖ２Ｘメッセージは、セル内でブロードキャストされるべきであること、またはＶ２Ｘインタフェースを介して、Ｖ２Ｘ機能に転送されるべきであることを判断し、
前記Ｖ２Ｘメッセージを、Ｖ２Ｘインタフェースを介して、前記Ｖ２Ｘ機能に直接送信するために処理する、または前記Ｖ２Ｘメッセージを前記セルにブロードキャスト、マルチキャスト若しくはユニキャストする、装置。
【請求項１７】
さらに、前記Ｖ２Ｘメッセージの宛先のインターネットプロトコル（ＩＰ）アドレスを識別する、請求項１６に記載の装置。
【請求項１８】
さらに、前記Ｖ２Ｘメッセージは、Ｖ２Ｘセーフティメッセージであることを判断する、請求項１６または１７に記載の装置。
【請求項１９】
さらに、
Ｖ２Ｘ識別情報が、前記Ｖ２Ｘメッセージ内に格納されていることを識別する、
前記Ｖ２Ｘメッセージ内の前記Ｖ２Ｘ識別情報に従い、前記Ｖ２Ｘメッセージは、前記Ｖ２Ｘセーフティメッセージであることを判断する、
前記Ｖ２Ｘセーフティメッセージをセル内の各ＵＥにブロードキャストする、
前記Ｖ２Ｘセーフティメッセージをセルにユニキャストする、または
前記Ｖ２Ｘセーフティメッセージをセルにマルチキャストする、
請求項１８に記載の装置。
【請求項２０】
さらに、Ｖ２Ｘ識別情報を読み取る、請求項１６から１９のいずれか一項に記載の装置。
【請求項２１】
前記ＲＳＵは、ｅＮｏｄｅＢであり、前記ＲＳＵは、複数のｅＮｏｄｅＢ間で共有され、または、前記ＲＳＵは、１または複数のｅＮｏｄｅＢ間で共有される複数の仮想ＲＳＵプールの仮想コンピューティングインスタンスである、
請求項１６に記載の装置。
【請求項２２】
前記ＲＳＵは、前記Ｖ２Ｘ機能との間で一対多の関係性を有する、請求項１６から２１のいずれか一項に記載の装置。
【請求項２３】
さらに、前記Ｖ２Ｘメッセージを、前記Ｖ２Ｘ機能およびｅＮｏｄｅＢと通信する路側ユニット（ＲＳＵ）に転送するために処理する、請求項１６に記載の装置。
【請求項２４】
さらに、前記Ｖ２Ｘメッセージのインターネットプロトコル（ＩＰ）アドレスに従い、前記Ｖ２Ｘメッセージは、前記Ｖ２Ｘ機能に転送されるべきであること、または、前記Ｖ２Ｘメッセージは、セル内でブロードキャストされるべきであること、を判断する、請求項１６に記載の装置。
【請求項２５】
さらに、
前記Ｖ２Ｘ機能から受信される、アプリケーションサーバのインターネットプロトコル（ＩＰ）アドレスを有する前記Ｖ２Ｘメッセージを処理する、
前記Ｖ２Ｘ機能が、アプリケーションサーバのインターネットプロトコル（ＩＰ）アドレスを追加できるように、前記Ｖ２Ｘメッセージを、前記Ｖ２Ｘインタフェースを介して、前記Ｖ２Ｘ機能に転送するために処理する、または、
前記Ｖ２Ｘインタフェースを介して前記Ｖ２Ｘ機能から受信される、前記アプリケーションサーバの前記ＩＰアドレスを有する前記Ｖ２Ｘメッセージを処理する、
請求項１６から２４のいずれか一項に記載の装置。
【請求項２６】
さらに、アプリケーションサーバのＩＰアドレスを有する前記Ｖ２Ｘメッセージを、ＩＰトンネル経由で、選択されたパケットデータネットワーク（ＰＤＮ）ゲートウェイに転送するために処理する、請求項１６に記載の装置。
【請求項２７】
Ｖ２Ｘ識別情報は、ＭＡＣヘッダ内、ＲＬＣヘッダ内、またはパケットデータ収束プロトコル（ＰＤＣＰ）ヘッダ内に含まれる、請求項１６から２６のいずれか一項に記載の装置。
【請求項２８】
１または複数のプロセッサおよびメモリを備える、無線通信ネットワーク内のＶＥＨＩＣＬＥ‐ＴＯ‐ＡＮＹＴＨＩＮＧ（Ｖ２Ｘ）機能であって、
前記１または複数のプロセッサおよびメモリは、
Ｖ２Ｘインタフェースを介して、ｅＮｏｄｅＢから直接受信されるＶ２Ｘ識別情報を含むＶ２Ｘメッセージを処理し、
Ｖ２Ｘアプリケーションサーバのインターネットプロトコル（ＩＰ）アドレスを追加し、
前記Ｖ２Ｘメッセージが前記Ｖ２Ｘアプリケーションサーバに送信されることを可能にすべく、前記Ｖ２Ｘメッセージを前記ｅＮｏｄｅＢに送信するために処理する、Ｖ２Ｘ機能。
【請求項２９】
前記１または複数のプロセッサおよびメモリは、さらに、前記Ｖ２ＸメッセージがＶ２Ｘセーフティメッセージであることを判断する、請求項２８に記載のＶ２Ｘ機能。
【請求項３０】
無線通信ネットワーク内のＶＥＨＩＣＬＥ‐ＴＯ‐ＡＮＹＴＨＩＮＧ（Ｖ２Ｘ）通信を実行するためのコンピュータプログラムであって、１または複数のプロセッサおよびメモリに、
ユーザ機器（ＵＥ）から受信されるＶ２Ｘ識別情報を含むデータパケットを処理する手順と、
前記Ｖ２Ｘ識別情報に従い、前記データパケットをＶ２Ｘメッセージとして識別する手順と、
前記Ｖ２Ｘメッセージは、セル内でマルチキャストされる、ユニキャストされる若しくはブロードキャストされるべきであること、または、前記Ｖ２Ｘメッセージは、Ｖ２Ｘインタフェースを介して、Ｖ２Ｘ機能に転送されるべきであることを判断する手順と、および、
前記Ｖ２Ｘメッセージを、Ｖ２Ｘインタフェースを介して、前記Ｖ２Ｘ機能に直接送信するために処理する手順、または、前記Ｖ２Ｘメッセージの前記セルへのマルチキャスト、ユニキャスト若しくはブロードキャストのうちの１つを実行する手順と、
を実行させるためのコンピュータプログラム。
【請求項３１】
さらに、前記１または複数のプロセッサおよびメモリに、デバイスツーデバイス（Ｄ２Ｄ）チャネル経由で、前記ＵＥから受信される前記データパケットを処理する手順を実行させるための請求項３０に記載のコンピュータプログラム。
【請求項３２】
１または複数のプロセッサおよびメモリを備える、無線通信ネットワーク内のＶＥＨＩＣＬＥ‐ＴＯ‐ＡＮＹＴＨＩＮＧ（Ｖ２Ｘ）通信をサポートするｅＮｏｄｅＢの装置であって、
前記１または複数のプロセッサおよびメモリは、
ユーザ機器（ＵＥ）から受信されるＶ２Ｘ識別情報を含むデータパケットを処理し、
前記Ｖ２Ｘ識別情報に従い、前記データパケットをＶ２Ｘメッセージとして識別し、
前記Ｖ２Ｘメッセージが、Ｖ２Ｘ機能に転送されるべきであることを判断し、
前記Ｖ２Ｘメッセージを、Ｖ２Ｘインタフェースを介して、前記Ｖ２Ｘ機能に直接送信するために処理する、装置。
【請求項３３】
さらに、デバイスツーデバイス（Ｄ２Ｄ）チャネル経由で前記ＵＥから受信される前記データパケットを処理する、またはセルラインタフェース経由で受信される前記データパケットを処理する、請求項３２に記載の装置。
【請求項３４】
請求項３０または３１に記載のコンピュータプログラムを記録した、少なくとも１つの機械可読記録媒体。
【手続補正２】
【補正対象書類名】明細書
【補正対象項目名】０１７５
【補正方法】変更
【補正の内容】
【０１７５】
上記の例は、本技術の原理に係る１または複数の特定の用途における例示である一方、発明能力を発揮することなく、また本技術に係る原理および概念から逸脱することなく、形態、使用法、実装の詳細において多数の修正を加え得ることは、当業者に自明であろう。従って、以下の特許請求の範囲による場合を除き、本技術が限定されることは意図していない。
（項目１）
１または複数のプロセッサおよびメモリを備える、無線通信ネットワーク内のＶＥＨＩＣＬＥ‐ＴＯ‐ＡＮＹＴＨＩＮＧ（Ｖ２Ｘ）通信をサポートするｅＮｏｄｅＢの装置であって、
上記１または複数のプロセッサおよびメモリは、
ユーザ機器（ＵＥ）から受信されるＶ２Ｘ識別情報を含むデータパケットを処理し、
上記Ｖ２Ｘ識別情報に従い、上記データパケットをＶ２Ｘメッセージとして識別し、
上記Ｖ２Ｘメッセージは、Ｖ２Ｘ機能に転送されるべきであることを判断し、
上記Ｖ２Ｘメッセージを、Ｖ２Ｘインタフェースを介して、上記Ｖ２Ｘ機能に直接送信するために処理する、装置。
（項目２）
さらに、上記ＵＥからデバイスツーデバイス（Ｄ２Ｄ）チャネル経由で受信される上記データパケットを処理する、または、セルラインタフェース経由で受信される上記データパケットを処理する、項目１に記載の装置。
（項目３）
上記ｅＮｏｄｅＢは、路側ユニット（ＲＳＵ）である、項目１または２に記載の装置。
（項目４）
上記ｅＮｏｄｅＢは、路側ユニット（ＲＳＵ）を少なくとも１つの代替的なｅＮｏｄｅＢと共有する、項目１に記載の装置。
（項目５）
さらに、上記Ｖ２Ｘメッセージを、上記Ｖ２Ｘ機能および上記ｅＮｏｄｅＢと通信する路側ユニット（ＲＳＵ）に転送するために処理する、項目１または４に記載の装置。
（項目６）
さらに、上記Ｖ２Ｘメッセージのインターネットプロトコル（ＩＰ）アドレスに従い、上記Ｖ２Ｘメッセージは、上記Ｖ２Ｘ機能に転送されるべきであること、または、セル内でブロードキャストされるべきであること、を判断する、項目１に記載の装置。
（項目７）
さらに、上記Ｖ２Ｘ機能から受信される、アプリケーションサーバのインターネットプロトコル（ＩＰ）アドレスを有する上記Ｖ２Ｘメッセージを処理する、項目１または６に記載の装置。
（項目８）
さらに、上記Ｖ２Ｘ機能が、アプリケーションサーバのインターネットプロトコル（ＩＰ）アドレスを追加できるように、上記Ｖ２Ｘメッセージを、上記Ｖ２Ｘインタフェースを介して、上記Ｖ２Ｘ機能に転送するために処理する、項目１に記載の装置。
（項目９）
さらに、上記Ｖ２Ｘインタフェースを介して上記Ｖ２Ｘ機能から受信される、上記アプリケーションサーバの上記ＩＰアドレスを有する上記Ｖ２Ｘメッセージを処理する、項目８に記載の装置。
（項目１０）
さらに、アプリケーションサーバのＩＰアドレスを有する上記Ｖ２Ｘメッセージを、ＩＰトンネル経由で、選択されたパケットデータネットワーク（ＰＤＮ）ゲートウェイに転送するために処理する、項目１または９に記載の装置。
（項目１１）
さらに、
上記Ｖ２Ｘ識別情報に従い、上記Ｖ２Ｘメッセージは、Ｖ２Ｘセーフティメッセージであることを判断する、
上記Ｖ２Ｘセーフティメッセージをセルにブロードキャストする、
上記Ｖ２Ｘセーフティメッセージをセルにユニキャストする、または、
上記Ｖ２Ｘセーフティメッセージをセルにマルチキャストする、
項目１に記載の装置。
（項目１２）
さらに、インターネットプロトコル（ＩＰ）アドレスを、進化型パケットサービス（ＥＰＳ）ベアラまたはセルのいずれかにマッピングするパケットフィルタを使用する、項目１または１１に記載の装置。
（項目１３）
上記Ｖ２Ｘ識別情報は、ＭＡＣヘッダ内、ＲＬＣヘッダ内、またはパケットデータ収束プロトコル（ＰＤＣＰ）ヘッダ内に含まれる、項目１に記載の装置。
（項目１４）
上記ＶＥＨＩＣＬＥ‐ＴＯ‐ＡＮＹＴＨＩＮＧ（Ｖ２Ｘ）通信は、車車間通信、車人間通信、または車ネットワーク間通信である、項目１または１３に記載の装置。
（項目１５）
上記装置は、アンテナ、タッチセンサ式ディスプレイ画面、スピーカ、マイク、グラフィックプロセッサ、アプリケーションプロセッサ、ベースバンドプロセッサ、内蔵メモリ、不揮発性メモリポート、およびこれらの組み合わせのうちの少なくとも１つを含む、項目１に記載の装置。
（項目１６）
１または複数のプロセッサおよびメモリを備える、無線通信ネットワーク内のＶＥＨＩＣＬＥ‐ＴＯ‐ＡＮＹＴＨＩＮＧ（Ｖ２Ｘ）通信をサポートする路側ユニット（ＲＳＵ）の装置であって、
上記１または複数のプロセッサおよびメモリは、
ユーザ機器（ＵＥ）から送信されるデータパケットをＶ２Ｘメッセージとして識別し、
上記Ｖ２Ｘメッセージは、セル内でブロードキャストされるべきであること、またはＶ２Ｘインタフェースを介して、Ｖ２Ｘ機能に転送されるべきであることを判断し、
上記Ｖ２Ｘメッセージを、Ｖ２Ｘインタフェースを介して、上記Ｖ２Ｘ機能に直接送信するために処理する、または上記Ｖ２Ｘメッセージを上記セルにブロードキャスト、マルチキャスト若しくはユニキャストする、装置。
（項目１７）
さらに、上記Ｖ２Ｘメッセージの宛先のインターネットプロトコル（ＩＰ）アドレスを識別する、項目１６に記載の装置。
（項目１８）
さらに、上記Ｖ２Ｘメッセージは、Ｖ２Ｘセーフティメッセージであることを判断する、項目１６または１７に記載の装置。
（項目１９）
さらに、
Ｖ２Ｘ識別情報が、上記Ｖ２Ｘメッセージ内に格納されていることを識別する、
上記Ｖ２Ｘメッセージ内の上記Ｖ２Ｘ識別情報に従い、上記Ｖ２Ｘメッセージは、上記Ｖ２Ｘセーフティメッセージであることを判断する、
上記Ｖ２Ｘセーフティメッセージをセル内の各ＵＥにブロードキャストする、
上記Ｖ２Ｘセーフティメッセージをセルにユニキャストする、または
上記Ｖ２Ｘセーフティメッセージをセルにマルチキャストする、
項目１８に記載の装置。
（項目２０）
さらに、Ｖ２Ｘ識別情報を読み取る、項目１６または１９に記載の装置。
（項目２１）
上記ＲＳＵは、ｅＮｏｄｅＢであり、上記ＲＳＵは、複数のｅＮｏｄｅＢ間で共有され、または、上記ＲＳＵは、１または複数のｅＮｏｄｅＢ間で共有される複数の仮想ＲＳＵプールの仮想コンピューティングインスタンスである、
項目１６に記載の装置。
（項目２２）
上記ＲＳＵは、上記Ｖ２Ｘ機能との間で一対多の関係性を有する、項目１６または２１に記載の装置。
（項目２３）
さらに、上記Ｖ２Ｘメッセージを、上記Ｖ２Ｘ機能およびｅＮｏｄｅＢと通信する路側ユニット（ＲＳＵ）に転送するために処理する、項目１６に記載の装置。
（項目２４）
さらに、上記Ｖ２Ｘメッセージのインターネットプロトコル（ＩＰ）アドレスに従い、上記Ｖ２Ｘメッセージは、上記Ｖ２Ｘ機能に転送されるべきであること、または、上記Ｖ２Ｘメッセージは、セル内でブロードキャストされるべきであること、を判断する、項目１６に記載の装置。
（項目２５）
さらに、
上記Ｖ２Ｘ機能から受信される、アプリケーションサーバのインターネットプロトコル（ＩＰ）アドレスを有する上記Ｖ２Ｘメッセージを処理する、
上記Ｖ２Ｘ機能が、アプリケーションサーバのインターネットプロトコル（ＩＰ）アドレスを追加できるように、上記Ｖ２Ｘメッセージを、上記Ｖ２Ｘインタフェースを介して、上記Ｖ２Ｘ機能に転送するために処理する、または、
上記Ｖ２Ｘインタフェースを介して上記Ｖ２Ｘ機能から受信される、上記アプリケーションサーバの上記ＩＰアドレスを有する上記Ｖ２Ｘメッセージを処理する、
項目１６または２４に記載の装置。
（項目２６）
さらに、アプリケーションサーバのＩＰアドレスを有する上記Ｖ２Ｘメッセージを、ＩＰトンネル経由で、選択されたパケットデータネットワーク（ＰＤＮ）ゲートウェイに転送するために処理する、項目１６に記載の装置。
（項目２７）
Ｖ２Ｘ識別情報は、ＭＡＣヘッダ内、ＲＬＣヘッダ内、またはパケットデータ収束プロトコル（ＰＤＣＰ）ヘッダ内に含まれる、項目１６または２６に記載の装置。
（項目２８）
１または複数のプロセッサおよびメモリを備える、無線通信ネットワーク内のＶＥＨＩＣＬＥ‐ＴＯ‐ＡＮＹＴＨＩＮＧ（Ｖ２Ｘ）機能であって、
上記１または複数のプロセッサおよびメモリは、
Ｖ２Ｘインタフェースを介して、ｅＮｏｄｅＢから直接受信されるＶ２Ｘ識別情報を含むＶ２Ｘメッセージを処理し、
Ｖ２Ｘアプリケーションサーバのインターネットプロトコル（ＩＰ）アドレスを追加し、
上記Ｖ２Ｘメッセージが上記Ｖ２Ｘアプリケーションサーバに送信されることを可能にすべく、上記Ｖ２Ｘメッセージを上記ｅＮｏｄｅＢに送信するために処理する、Ｖ２Ｘ機能。
（項目２９）
上記１または複数のプロセッサおよびメモリは、さらに、上記Ｖ２ＸメッセージがＶ２Ｘセーフティメッセージであることを判断する、項目２８に記載のＶ２Ｘ機能。
（項目３０）
無線通信ネットワーク内のＶＥＨＩＣＬＥ‐ＴＯ‐ＡＮＹＴＨＩＮＧ（Ｖ２Ｘ）通信を実行するために具現化された命令を備える少なくとも１つの機械可読記録媒体であって、
上記命令は、１または複数のプロセッサおよびメモリによって実行されると、
ユーザ機器（ＵＥ）から受信されるＶ２Ｘ識別情報を含むデータパケットを処理する、
上記Ｖ２Ｘ識別情報に従い、上記データパケットをＶ２Ｘメッセージとして識別する、
上記Ｖ２Ｘメッセージは、セル内でマルチキャストされる、ユニキャストされる若しくはブロードキャストされるべきであること、または、上記Ｖ２Ｘメッセージは、Ｖ２Ｘインタフェースを介して、Ｖ２Ｘ機能に転送されるべきであることを判断する、および、
上記Ｖ２Ｘメッセージを、Ｖ２Ｘインタフェースを介して、上記Ｖ２Ｘ機能に直接送信するために処理する、または、上記Ｖ２Ｘメッセージの上記セルへのマルチキャスト、ユニキャスト若しくはブロードキャストのうちの１つを実行する、
ことを実行する、少なくとも１つの機械可読記録媒体。
（項目３１）
さらに、実行時、デバイスツーデバイス（Ｄ２Ｄ）チャネル経由で、上記ＵＥから受信される上記データパケットを処理する命令を備える、項目３０に記載の少なくとも１つの機械可読記録媒体。
（項目３２）
１または複数のプロセッサおよびメモリを備える、無線通信ネットワーク内のＶＥＨＩＣＬＥ‐ＴＯ‐ＡＮＹＴＨＩＮＧ（Ｖ２Ｘ）通信をサポートするｅＮｏｄｅＢの装置であって、
上記１または複数のプロセッサおよびメモリは、
ユーザ機器（ＵＥ）から受信されるＶ２Ｘ識別情報を含むデータパケットを処理し、
上記Ｖ２Ｘ識別情報に従い、上記データパケットをＶ２Ｘメッセージとして識別し、
上記Ｖ２Ｘメッセージが、Ｖ２Ｘ機能に転送されるべきであることを判断し、
上記Ｖ２Ｘメッセージを、Ｖ２Ｘインタフェースを介して、上記Ｖ２Ｘ機能に直接送信するために処理する、装置。
（項目３３）
さらに、デバイスツーデバイス（Ｄ２Ｄ）チャネル経由で上記ＵＥから受信される上記データパケットを処理する、またはセルラインタフェース経由で受信される上記データパケットを処理する、項目３２に記載の装置。
【国際調査報告】
2018523322.tif 000018
2018523322.tif 000019
2018523322.tif 000020